(57)【要約】【課題】支持部材を取り外した被取付面の損傷を抑制することが可能な、支持具取付構造を提供する。【解決手段】  被取付面Ｗに配置する照明機器１００を支持する支持部材１と、粘着力により被取付面Ｗに支持部材１を取り付ける粘着部２と、回転用工具による回転力が、粘着部２を介して被取付面Ｗに取り付けられた支持部材１を被取付面Ｗに交差する軸を中心として回転させる回転力となるように、回転用工具を支持部材１に嵌合させる回転工具嵌合部４ａ，４ｂを含み、支持部材１を、支持部材１に嵌合させた回転用工具による回転力で被取付面Ｗに交差する軸を中心として回転させることで、粘着部２の少なくとも一部及び支持部材１を、被取付面Ｗから取り外す。【選択図】図１
2016169864.tif 000002
【特許請求の範囲】
【請求項１】
被取付面に配置する機器を支持する支持部材と、
粘着力により前記被取付面に前記支持部材を取り付ける粘着部と、
回転用工具による回転力を、前記粘着部を介して前記被取付面に取り付けられた前記支持部材を被取付面に対して変位させて粘着部を破壊する応力に変換する破壊応力発生部と、を含む支持具取付構造。
【請求項２】
前記破壊応力発生部は、前記回転力が、前記粘着部を介して前記被取付面に取り付けられた前記支持部材を被取付面に交差する軸を中心として回転させる回転力となるように、前記回転用工具を前記支持部材に嵌合させる回転工具嵌合部を含む請求項１に記載した支持具取付構造。
【請求項３】
前記回転工具嵌合部は、前記支持部材の前記被取付面と対向する面以外の面に形成した差し込み部を含み、
前記差し込み部は、前記回転用工具を差し込み可能な形状である請求項２に記載した支持具取付構造。
【請求項４】
前記差し込み部は、前記支持部材の前記被取付面と対向する面と反対側の面の中心に開口した凹部または貫通孔を含む請求項３に記載した支持具取付構造。
【請求項５】
前記差し込み部は、前記支持部材の一部または全部を前記被取付面に沿った方向に貫通する貫通孔を含む請求項３または請求項４に記載した支持具取付構造。
【請求項６】
前記差し込み部は、前記支持部材の前記被取付面と対向する面と反対側の面に形成し、且つ前記被取付面に沿って延在する溝を含む請求項３から請求項５のうちいずれか１項に記載した支持具取付構造。
【請求項７】
前記支持部材の前記被取付面と対向する面と反対側の面に形成され、且つ前記差し込み部と前記機器との間に配置される隔壁部をさらに含み、
前記隔壁部の強度は、前記差し込み部に差し込んだ前記回転用工具で前記隔壁部を押圧すると、前記被取付面から前記支持部材が剥離する前に前記隔壁部が破壊される強度である請求項５または請求項６に記載した支持具取付構造。
【請求項８】
前記支持部材の前記機器と対向する面に、前記支持部材を前記被取付面に交差する軸を中心として回転させる方向を示す表記を設けた請求項１から請求項７のうちいずれか１項に記載した支持具取付構造。
【請求項９】
前記破壊応力発生部は、前記回転力を、前記粘着部を介して前記被取付面に取り付けられた前記支持部材を被取付面から離間させる力に変換する回転力変換部を含む請求項１に記載した支持具取付構造。
【請求項１０】
前記回転力変換部は、前記支持部材を前記被取付面に交差する軸に沿って貫通し、且つ内径面に雌ねじを有する貫通孔と、前記貫通孔内に挿通され、且つ前記雌ねじと嵌合する雄ねじを外径面に有するねじ部材と、を含み、
前記ねじ部材は、前記回転用工具による回転力で前記支持部材の前記被取付面と対向する面から突出して被取付面を押圧することにより、前記支持部材を被取付面から離間させる請求項９に記載した支持具取付構造。
【請求項１１】
前記支持部材は、前記ねじ部材を収容するねじ部材収容部を有し、
前記ねじ部材収容部は、前記支持部材の内部に形成されている請求項１０に記載した支持具取付構造。
【請求項１２】
前記ねじ部材収容部に、前記ねじ部材を前記貫通孔外に配置した状態及びねじ部材を貫通孔内に挿通した状態で、前記ねじ部材のうち前記貫通孔内に挿通された状態で前記被取付面と対向する側の端部を保持する先端保持部が形成されている請求項１１に記載した支持具取付構造。
【請求項１３】
前記ねじ部材の先端は、あら先、面取り先、丸先のうちいずれかである請求項１０から請求項１２のうちいずれか１項に記載した支持具取付構造。
【請求項１４】
前記ねじ部材と前記被取付面との間に、前記回転用工具から前記ねじ部材を介して伝達される回転力を滑り接触で受けるとともに前記被取付面を被取付面に交差する軸に沿って押圧する壁面押圧部材を配置した請求項１０から請求項１３のうちいずれか１項に記載した支持具取付構造。
【請求項１５】
前記壁面押圧部材は、前記ねじ部材の先端に取り付け、且つ前記被取付面と対向する平板状の当て板部材である請求項１４に記載した支持具取付構造。
【請求項１６】
前記回転力変換部は、互いの基端側が連結角度を可変に連結された二つの脚部と、前記回転用工具による回転力で前記二つの脚部の連結角度を調整する連結角調整部と、を含み、
前記二つの脚部のうち一方の先端部を前記被取付面に接触させ、且つ前記二つの脚部のうち他方の先端部を前記支持部材に接触させた状態で、前記連結角調整部で前記二つの脚部の連結角度を拡大させることにより、前記支持部材を被取付面から離間させる請求項９に記載した支持具取付構造。
【請求項１７】
前記回転力変換部を、前記被取付面と直交する方向から見て前記粘着部と異なる位置に配置した請求項９から請求項１６のうちいずれか１項に記載した支持具取付構造。
【請求項１８】
前記支持部材は、前記支持部材のうち前記被取付面と直交する方向から見て前記粘着部と異なる部分よりも被取付面と平行な方向から見た厚さを薄くした薄肉部を有する請求項９から請求項１７のうちいずれか１項に記載した支持具取付構造。
【請求項１９】
前記薄肉部は、前記支持部材を前記被取付面と直交する方向から見て対向する二辺を連続する溝である請求項１８に記載した支持具取付構造。
【請求項２０】
前記支持部材は、支持本体部材と、補助支持部材と、を含み、
前記粘着部を介して前記被取付面に取り付けられる前記補助支持部材の面積は、前記粘着部を介して前記被取付面に取り付けられる前記支持本体部材の面積よりも広い請求項１から請求項１９のうちいずれか１項に記載した支持具取付構造。
【請求項２１】
前記補助支持部材と前記機器とを、紐状の連結部材で連結し、
前記連結部材の長さは、前記支持部材から脱落した前記機器が宙吊りとなる長さである請求項２０に記載した支持具取付構造。
【請求項２２】
前記粘着部は、前記被取付面に接着する被取付面側接着層と、前記支持部材に接着する支持部材側接着層と、前記被取付面側接着層と前記支持部材側接着層との間に介装する基材層と、を含む請求項１から請求項２１のうちいずれか１項に記載した支持具取付構造。
【請求項２３】
前記機器は、屋外用の照明機器である請求項１から請求項２２のうちいずれか１項に記載した支持具取付構造。
【請求項２４】
前記照明機器は、内蔵した電池から電力の供給を受ける請求項２３に記載した支持具取付構造。
【請求項２５】
前記照明機器は、発光素子としてＬＥＤ素子を含む請求項２３または請求項２４に記載した支持具取付構造。
【発明の詳細な説明】
【技術分野】
【０００１】
本発明は、被取付面に取り付けるための支持具取付構造に関する。
【背景技術】
【０００２】
外壁や塀等の被取付面に取り付ける誘導灯等の照明機器として、例えば、特許文献１に開示されている技術がある。
特許文献１に開示されている技術では、照明機器を支持するための支持具（以降の説明では、「支持部材」と記載する）を、支持部材を貫通して被取付面へ先端側を捻じ込むねじや、強力な粘着力を有する両面テープを用いて被取付面に取り付けたものがある。
【先行技術文献】
【特許文献】
【０００３】
【特許文献１】特開２０１３−２５４６５５号公報
【発明の概要】
【発明が解決しようとする課題】
【０００４】
しかしながら、特許文献１に記載されている技術のように、ねじを用いて支持部材を被取付面に取り付けた場合、支持部材を取り外した被取付面にねじ孔が残るため、被取付面の外観を損なうという問題点がある。
さらに、強力な粘着力を有する両面テープを用いて支持部材を被取付面に取り付けた場合、被取付面から無理矢理に支持部材を引き剥がそうとすると、被取付面の一部が、両面テープの強力な粘着力によって剥離する。これにより、被取付面が損傷するため、被取付面の外観を損なうという問題点がある。
【０００５】
本発明の課題は、支持部材を取り外した被取付面の損傷を抑制することが可能な、支持具取付構造を提供することである。
【課題を解決するための手段】
【０００６】
上記課題を解決するために、本発明の一態様に係る支持具取付構造は、被取付面に配置する機器を支持する支持部材と、粘着力により前記被取付面に前記支持部材を取り付ける粘着部と、回転用工具による回転力を、前記粘着部を介して前記被取付面に取り付けられた前記支持部材を被取付面に対して変位させて粘着部を破壊する応力に変換する破壊応力発生部と、を含む。
【発明の効果】
【０００７】
本発明の一態様によれば、回転用工具による回転力を、支持部材を被取付面に対して変位させて粘着部を破壊する応力に変換することにより、粘着部に破壊応力を発生させて粘着部を破壊し、被取付面から粘着部の少なくとも一部及び支持部材を取り外すことが可能となる。
このため、支持部材（支持具）を取り外した被取付面の損傷を抑制することが可能な、支持具取付構造を提供することが可能となる。
【図面の簡単な説明】
【０００８】
【図１】本発明の第一実施形態における、照明機器及び支持部材の構成を説明するための斜視図である。
【図２】本発明の第一実施形態の、支持本体部材の正面図である。
【図３】図２のＩＩＩ線矢視図である。
【図４】図２のＩＶ線矢視図である。
【図５】図２のＶ線矢視図である。
【図６】図２のＶＩ線矢視図である。
【図７】図６のＶＩＩ線矢視図である。
【図８】本発明の第一実施形態の、補助支持部材の正面図である。
【図９】図８のＩＸ線矢視図である。
【図１０】図８のＸ線矢視図である。
【図１１】図８のＸＩ線矢視図である。
【図１２】図８のＸＩＩ線矢視図である。
【図１３】図１２のＸＩＩＩ線矢視図である。
【図１４】粘着部の構成を示す断面図である。
【図１５】図１のＸＶ線矢視図である。
【図１６】本発明の第一実施形態の変形例を示す図である。
【図１７】本発明の第一実施形態の変形例を示す図である。
【図１８】本発明の第一実施形態の変形例を示す図である。
【図１９】本発明の第一実施形態の変形例を示す図である。
【図２０】本発明の第二実施形態の、支持本体部材の正面図である。
【図２１】図２０のＸＸＩ線矢視図である。
【図２２】図２０のＸＸＩＩ線矢視図である。
【図２３】図２０のＸＸＩＩＩ線矢視図である。
【図２４】本発明の第二実施形態の、補助支持部材の正面図である。
【図２５】図２４のＸＸＶ線矢視図である。
【図２６】図２４のＸＸＶＩ線矢視図である。
【図２７】図２４のＸＸＶＩＩ線矢視図である。
【図２８】本発明の第二実施形態の変形例を示す図である。
【図２９】本発明の第二実施形態の変形例を示す図である。図２９（ａ）は、補助側ねじ部材収容部を含む補助支持部材の一部を示す正面図であり、図２９（ｂ）は、図２９（ａ）のＢ−Ｂ線断面図である。
【図３０】本発明の第二実施形態の変形例を示す図である。
【図３１】本発明の第二実施形態の変形例を示す図である。
【図３２】本発明の第二実施形態の変形例を示す図である。
【図３３】本発明の第二実施形態の変形例を示す図である。
【図３４】本発明の第三実施形態の、支持本体部材の正面図である。
【図３５】図３４のＸＸＸＶ線矢視図である。
【図３６】図３４のＸＸＸＶＩ線矢視図である。
【図３７】図３５のＸＸＸＶＩＩ線矢視図である。
【図３８】本発明の第三実施形態の、補助支持部材の正面図である。
【図３９】図３８のＸＸＸＩＸ線矢視図である。
【図４０】図３８のＸＸＸＸ線矢視図である。
【図４１】図３９のＸＸＸＸＩ線矢視図である。
【発明を実施するための形態】
【０００９】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で示す場合がある。
（第一実施形態）
以下、本発明の第一実施形態について、図面を参照しつつ説明する。
【００１０】
（本発明の第一実施形態の概要）
本発明の第一実施形態の支持具取付構造及び支持具取り外し方法を適用する対象の機器（照明機器）は、照明機器を配置する対象である外壁や塀等の被取付面に、照明機器を支持する部材である支持部材に支持された状態で配置される。
ここで、支持部材は、両面テープ等で形成した粘着部を介して被取付面に取り付ける。また、照明機器と支持部材は、両面テープのうち被取付面へ取り付ける面に剥離紙（剥離フィルム）を貼り付けた状態で、予め組み立てられて梱包される。
【００１１】
また、本発明の第一実施形態の支持具取付構造及び支持具取り外し方法では、支持部材から照明機器を取り外した後に、支持部材を被取付面に交差する軸を中心として回転させることで、粘着部に剪断応力を発生させて粘着部を破壊する。
そして、被取付面から、破壊した粘着部の少なくとも一部とともに、支持部材を取り外す。
【００１２】
（支持具取付構造）
図１から図１５を用いて、被取付面Ｗに照明機器１００を配置するための支持部材１を、被取付面Ｗから取り外すことが可能な構造（以降の説明では、「支持具取付構造」と記載する場合がある）について説明する。なお、図１は、照明機器１００及び支持部材１を分解した状態の、上方向からの斜視図である。
【００１３】
被取付面Ｗは、建築物の壁面、天井面、床面や、照明機器１００が光を照射する対象となる建築物と道路や他の建築物とを区画する塀の側面等である。
第一実施形態では、被取付面Ｗを、建築物の外壁面とした場合について説明する。すなわち、第一実施形態では、照明機器１００を、建築物の外壁面に取り付けた屋外用の照明機器（屋外照明）として用いた場合について説明する。
【００１４】
支持具取付構造は、図１中に示すように、支持部材１と、粘着部２（２Ｌ，２Ｒ，２Ｃ）を含む。
支持部材１は、被取付面Ｗに配置する機器（照明機器１００）を支持する部材（支持具）であり、二つの支持本体部材２００（２００Ｌ，２００Ｒ）と、一つの補助支持部材３００を備える。
【００１５】
なお、第一実施形態の支持部材１は、上述したように、屋外照明を建築物の外壁面に取り付けるための支持部材１（屋外照明取り付け用支持具）として用いられる。
各支持本体部材２００及び補助支持部材３００は、共に、粘着部２を介して被取付面Ｗに取り付けられる。なお、図１中では、二つの支持本体部材２００のうち、図中で左側に配置した支持本体部材２００を、符号「２００Ｌ」で示す。同様に、図１中では、二つの支持本体部材２００のうち、図中で右側に配置した支持本体部材２００を、符号「２００Ｒ」で示す。これは、図１以外の図中においても同様に示す。
【００１６】
また、以降の説明において、各支持本体部材２００を、それぞれ、「支持本体部材２００Ｌ」、「支持本体部材２００Ｒ」と記載する場合がある。
また、各支持本体部材２００は、被取付面Ｗと照明機器１００が備える取付カバー１０２との間に配置される部材である。各支持本体部材２００は、支持本体部用ナット２０２と支持本体部用ボルト２０４を用いて、取付カバー１０２に結合されている。なお、取付カバー１０２の説明は、後述する。
【００１７】
また、各支持本体部材２００は、図２から図７中に示すように、支持本体側平面部２１０と、支持本体側外壁部２２０と、ナット嵌合部２３０と、支持本体側テープ配置部２４０を備えている。これに加え、各支持本体部材２００は、図２から図７中に示すように、支持本体側差し込み部２５０と、支持本体側隔壁部２６０と、支持本体側内壁部２７０を備えている。
【００１８】
なお、図２から図７中には、二つの支持本体部材２００のうち支持本体部材２００Ｌを示しているが、支持本体部材２００Ｒの構成は、被取付面Ｗと照明機器１００との間に配置される際の位置及び向きを除き、支持本体部材２００Ｌと同様である。
支持本体側平面部２１０は、被取付面Ｗと平行な平板状に形成されている。したがって、支持本体側平面部２１０の厚さ方向は、被取付面Ｗに交差する軸と平行に向いている。
【００１９】
また、支持本体側平面部２１０は、方形（略正方形）に形成されている。具体的には、支持本体側平面部２１０の外周縁は、互いに直交する三辺の直線部分と、長手方向が平行である二辺の直線部分間を連続する一辺の湾曲部分で形成されている。また、支持本体側平面部２１０の外周縁のうち、湾曲部分は、補助支持部材３００側へ向いている。
なお、支持本体部材２００Ｌ及び支持本体部材２００Ｒは、被取付面Ｗと照明機器１００との間に、湾曲部分を補助支持部材３００と対向させた向きで配置される。
【００２０】
また、支持本体側平面部２１０のうち、照明機器１００と対向する面には、二箇所の支持本体側表記２１２が設けられている。
支持本体側表記２１２は、支持本体部材２００を被取付面Ｗに交差する軸を中心として回転させる方向を示す表記である。
第一実施形態では、各支持本体側表記２１２を、双方向矢印と、文字とした場合について説明する。
【００２１】
なお、支持本体側表記２１２である双方向矢印は、支持本体部材２００を被取付面Ｗに交差する軸を中心として回転させる方向を示す矢印である。また、支持本体側表記２１２である文字は、支持本体部材２００を被取付面Ｗから取り外す動作を意味する文字（図中に示す「はがす」）である。
また、第一実施形態では、二箇所の支持本体側表記２１２を、それぞれ、支持本体側平面部２１０の中心を間に挟んで外周縁側へ配置した場合について説明する。具体的には、二箇所の支持本体側表記２１２のうち一方を、支持本体側平面部２１０の中心よりも上方（被取付面Ｗである外壁面の上下方向で上方）に配置する。また、二箇所の支持本体側表記２１２のうち他方を、支持本体側平面部２１０の中心よりも下方（外壁面の上下方向で下方）に配置する。
【００２２】
また、第一実施形態では、二箇所の支持本体側表記２１２を、それぞれ、支持本体側平面部２１０の中心よりも上方に配置した状態で、支持本体側表記２１２である文字を通常の向きで視認可能な形状に形成する。
したがって、上下方向を逆転させた向きで配置した支持本体部材２００Ｌ及び支持本体部材２００Ｒは、部品の共通化が可能である。
【００２３】
支持本体側外壁部２２０は、支持本体側平面部２１０の外周を包囲する壁面である。また、支持本体側外壁部２２０の厚さ方向は、支持本体側平面部２１０の厚さ方向と直交している。
第一実施形態では、支持本体側平面部２１０の外周縁を、三辺の直線部分と、一辺の湾曲部分で形成している。このため、支持本体側外壁部２２０は、三辺の直線部分と連続する三つの外壁直線部２２２ａ〜２２２ｃと、湾曲部分と連続する一つの外壁湾曲部２２４を備えている。
【００２４】
外壁直線部２２２ａは、支持本体側外壁部２２０のうち、支持本体側平面部２１０の中心よりも上方（外壁面の上下方向で上方）の部分を形成する。
外壁直線部２２２ｂは、支持本体側外壁部２２０のうち、支持本体側平面部２１０の中心を挟んで対向する二辺間を連続する部分を形成する。
外壁直線部２２２ｃは、支持本体側外壁部２２０のうち、支持本体側平面部２１０の中心よりも下方（外壁面の上下方向で下方）の部分を形成する。
【００２５】
外壁湾曲部２２４の湾曲度合いは、例えば、後述する取り外し作業において、支持本体部材２００を被取付面Ｗに交差する軸を中心として回転させる際に、支持本体部材２００と補助支持部材３００との接触を回避可能な値に設定する。
ナット嵌合部２３０は、支持本体側平面部２１０の照明機器１００と対向する面に設けられており、支持本体側平面部２１０の中心に配置されている。
【００２６】
また、ナット嵌合部２３０は、ナット嵌合平板部２３２と、ナット嵌合フレーム部２３４を備えている。
ナット嵌合平板部２３２は、支持本体側平面部２１０と平行な平板状である。また、ナット嵌合平板部２３２は、被取付面Ｗに交差する軸方向から見て、六角ナットで形成された支持本体部用ナット２０２と同じ形状（六角形）に形成されている。また、ナット嵌合平板部２３２の寸法は、支持本体部用ナット２０２よりも大きい値に設定されている。
【００２７】
ナット嵌合平板部２３２は、支持本体部用ボルト挿通孔２３６が形成されている。
支持本体部用ボルト挿通孔２３６は、支持本体部用ボルト２０４が挿通可能な内径の貫通孔であり、ナット嵌合平板部２３２の中心を貫通している。 
ナット嵌合フレーム部２３４は、ナット嵌合平板部２３２と支持本体側平面部２１０との間に配置されている。また、ナット嵌合フレーム部２３４は、被取付面Ｗに交差する軸方向から見て、外周面が六角形となる筒状に形成されている。
【００２８】
ナット嵌合フレーム部２３４の外周面は、ナット嵌合平板部２３２の外周縁と連続している。
ナット嵌合フレーム部２３４の内側部分は、ナット嵌合用凹部２３８を形成している。
ナット嵌合用凹部２３８は、支持本体部用ナット２０２が嵌合する形状・寸法の凹部である。すなわち、ナット嵌合用凹部２３８は、被取付面Ｗに交差する軸方向から見て、内周面が六角形となる形状に形成されている。
【００２９】
支持本体側テープ配置部２４０は、支持本体側平面部２１０のうち、被取付面Ｗと対向する面に形成された凹部である。また、支持本体側テープ配置部２４０は、支持本体部材２００を被取付面Ｗに取り付けるための粘着部２を配置可能な形状に形成されている。
支持本体側差し込み部２５０は、支持本体側外壁開口部２５２と、支持本体側溝部２５４で形成されている。
【００３０】
支持本体側外壁開口部２５２は、支持本体側外壁部２２０の一部を被取付面Ｗに沿った方向に貫通する開口部である。第一実施形態では、支持本体側外壁部２２０に、二箇所の支持本体側外壁開口部２５２を設けた場合について説明する。
また、二箇所の支持本体側外壁開口部２５２は、それぞれ、支持本体側外壁部２２０のうち、外壁直線部２２２ａと、外壁直線部２２２ｃに設ける。
【００３１】
支持本体側溝部２５４は、支持本体側平面部２１０のうち、被取付面Ｗと対向する面と反対側の面（照明機器１００と対向する面）に形成されている。また、支持本体側溝部２５４は、被取付面Ｗに沿って延在する溝である。
また、支持本体側外壁開口部２５２の形状と、支持本体側溝部２５４の形状は、回転用工具を差し込み可能な形状に形成する。
【００３２】
なお、回転用工具は、支持本体部材２００を、被取付面Ｗに交差する軸を中心として回転させる回転力を発生させるために用いる工具である。また、回転用工具としては、例えば、スクリュードライバーや、Ｌ字形のレンチ（六角レンチ等）を用いる。
したがって、支持本体側差し込み部２５０は、支持本体部材２００の被取付面Ｗと対向する面と反対側の面に形成し、且つ被取付面Ｗに沿って延在する溝である支持本体側溝部２５４を含む。
【００３３】
支持本体側隔壁部２６０は、支持本体側外壁部２２０のうち、支持本体側外壁開口部２５２を設けた部分（開口させた部分）よりも、照明機器１００側の部分で形成されている。すなわち、支持本体側隔壁部２６０は、支持本体部材２００の被取付面Ｗと対向する面と反対側の面に形成されている。これに加え、支持本体側隔壁部２６０は、支持本体側外壁開口部２５２と照明機器１００との間に配置されている。
【００３４】
また、支持本体側隔壁部２６０の強度は、支持本体側外壁開口部２５２に差し込んだ回転用工具で支持本体側隔壁部２６０を押圧すると、被取付面Ｗから支持本体部材２００が剥離する前に、支持本体側隔壁部２６０が破壊される強度である。
支持本体側内壁部２７０は、支持本体側平面部２１０の照明機器１００と対向する面に設けられている。また、支持本体側内壁部２７０は、被取付面Ｗに交差する軸と平行な平板状に形成されている。
【００３５】
また、支持本体側内壁部２７０は、ナット嵌合フレーム部２３４の外周面と対向している。また、支持本体側内壁部２７０は、被取付面Ｗに交差する軸方向から見て、ナット嵌合フレーム部２３４の外周面と平行である。
したがって、支持本体側溝部２５４は、支持本体側外壁部２２０及び支持本体側内壁部２７０とナット嵌合フレーム部２３４との対向する面と、支持本体側平面部２１０により形成されている。
【００３６】
支持本体部用ナット２０２は、六角形のナットであり、ナット嵌合用凹部２３８に嵌合する形状・寸法で形成されている。また、支持本体部用ナット２０２の内径面には、雌ねじが形成されている。
支持本体部用ボルト２０４は、頭部に、ドライバーと嵌合する十字状の凹部が形成されている。また、支持本体部用ボルト２０４は、軸部の外径面に、支持本体部用ナット２０２の雌ねじと嵌合する雄ねじが形成されている。
【００３７】
支持本体部材２００を取付カバー１０２に結合する際には、まず、取付カバー１０２の支持本体部材２００と対向する面と反対側の面から、取付カバー１０２に形成したカバー部側第一挿通孔１０４に支持本体部用ボルト２０４の軸部のみを挿通させる。なお、カバー部側第一挿通孔１０４の説明は、後述する。
そして、取付カバー１０２の支持本体部材２００と対向する面とナット嵌合平板部２３２とを対向させた状態で、ナット嵌合用凹部２３８に嵌合させた支持本体部用ナット２０２の雌ねじに、支持本体部用ボルト２０４の雄ねじを嵌合させる。
【００３８】
補助支持部材３００は、各支持本体部材２００と同様、被取付面Ｗと照明機器１００が備える取付カバー１０２との間に配置される部材である。
また、補助支持部材３００は、補助支持部用取付具３０２と、補助支持部側取付ねじ３０４と、連結部材４００と、カバー取付具３０６と、カバー取付具側取付ねじ３０８を用いて、取付カバー１０２に結合されている。
【００３９】
また、補助支持部材３００は、図８から図１３中に示すように、補助支持側平面部３１０と、補助支持側外壁部３２０と、補助支持側ねじ受け部３３０と、補助支持側作業用開口部３４０と、突起嵌合部３５０を備えている。これに加え、補助支持部材３００は、図８から図１３中に示すように、補助支持側テープ配置部３６０と、補助支持側差し込み部３７０と、補助支持側隔壁部３８０と、補助支持側内壁部３９０を備えている。
【００４０】
補助支持側平面部３１０は、被取付面Ｗと平行な平板状に形成されている。したがって、補助支持側平面部３１０の厚さ方向は、被取付面Ｗに交差する軸と平行に向いている。
また、補助支持側平面部３１０は、角部に面取りを設けた長方形に形成されている。具体的には、補助支持側平面部３１０の外周縁は、互いに平行な直線である二辺の長辺部分と、長辺部分と直交するとともに、互いに平行な直線である二辺の短辺部分で形成されている。また、長辺部分の長さは、短辺部分の長さよりも長い。また、補助支持部材３００の外周縁のうち、二辺の短辺部分は、それぞれ、各支持本体側平面部２１０側へ向いている。
【００４１】
また、補助支持側平面部３１０のうち、照明機器１００と対向する面には、一箇所の補助支持側表記３１２と、二箇所の連結部材配置表記３１４が設けられている。
補助支持側表記３１２は、補助支持部材３００を被取付面Ｗに交差する軸を中心として回転させる方向を示す表記である。
第一実施形態では、補助支持側表記３１２を、双方向矢印と、文字とした場合について説明する。
【００４２】
なお、補助支持側表記３１２である双方向矢印は、補助支持部材３００を被取付面Ｗに交差する軸を中心として回転させる方向を示す矢印である。また、補助支持側表記３１２である文字は、補助支持部材３００を被取付面Ｗから取り外す動作を意味する文字（図中に示す「はがす」）である。
また、第一実施形態では、補助支持側表記３１２を、補助支持側平面部３１０の中心よりも上方（被取付面Ｗである外壁面の上下方向で上方）に配置する。
【００４３】
各連結部材配置表記３１４は、連結部材４００を配置する位置を示す表記であり、下向き（被取付面Ｗである外壁面の上下方向で下方向）の矢印である。また、各連結部材配置表記３１４は、それぞれ、補助支持側平面部３１０の中心よりも二辺の短辺部分側に配置する。
補助支持側外壁部３２０は、補助支持側平面部３１０の外周を包囲する壁面である。また、補助支持側外壁部３２０の厚さ方向は、補助支持側平面部３１０の厚さ方向と直交している。
【００４４】
第一実施形態では、補助支持側平面部３１０の外周縁を、二辺の長辺部分と、二辺の短辺部分で形成している。このため、補助支持側外壁部３２０は、二辺の長辺部分と連続する二つの外壁長辺部３２２ａ，３２２ｂと、二辺の短辺部分と連続する二つの外壁短辺部３２４ａ，３２４ｂを備えている。
外壁長辺部３２２ａは、補助支持側外壁部３２０のうち、補助支持側平面部３１０の中心よりも上方（外壁面の上下方向で上方）の部分を形成する。
【００４５】
外壁長辺部３２２ｂは、補助支持側外壁部３２０のうち、補助支持側平面部３１０の中心よりも下方（外壁面の上下方向で下方）の部分を形成する。
外壁短辺部３２４ａは、補助支持側外壁部３２０のうち、補助支持側平面部３１０の中心よりも支持本体部材２００Ｌ側の部分を形成する。
外壁短辺部３２４ｂは、補助支持側外壁部３２０のうち、補助支持側平面部３１０の中心よりも支持本体部材２００Ｒ側の部分を形成する。
【００４６】
補助支持側ねじ受け部３３０は、補助支持側平面部３１０の照明機器１００と対向する面に設けられている。また、補助支持側ねじ受け部３３０は、補助支持側平面部３１０の中心と外壁短辺部３２４ｂとの間に配置されている。
また、補助支持側ねじ受け部３３０は、被取付面Ｗに交差する軸方向から見て、円筒状に形成されている。
【００４７】
また、補助支持側ねじ受け部３３０の内周面には、補助支持部側取付ねじ３０４の外径面に形成された雄ねじが嵌合する雌ねじが形成されている。
補助支持側作業用開口部３４０は、補助支持側平面部３１０を貫通する開口部である。また、補助支持側作業用開口部３４０は、補助支持側平面部３１０の中心と外壁短辺部３２４ａとの間に配置されている。
【００４８】
また、補助支持側作業用開口部３４０の開口形状及び開口面積は、カバー取付具側取付ねじ３０８を回転させるために必要な値に設定されている。
突起嵌合部３５０は、補助支持側平面部３１０の照明機器１００と対向する面に設けられている。また、突起嵌合部３５０の中心は、補助支持側平面部３１０の中心よりも外壁長辺部３２２ｂ側に配置されている。
【００４９】
また、突起嵌合部３５０は、突起嵌合平板部３５２と、突起嵌合フレーム部３５４を備えている。
突起嵌合平板部３５２は、補助支持側平面部３１０と平行な平板状に形成されている。また、突起嵌合平板部３５２は、被取付面Ｗに交差する軸方向から見て、六角形に形成されている。
【００５０】
突起嵌合平板部３５２には、位置決め用突起挿入孔３５６が形成されている。
位置決め用突起挿入孔３５６は、突起嵌合平板部３５２の中心に形成された貫通孔であり、取付カバー１０２が有する位置決め用突起（図示せず）を挿入可能な形状である。
突起嵌合フレーム部３５４は、突起嵌合平板部３５２と補助支持側平面部３１０との間に配置されている。また、突起嵌合フレーム部３５４は、被取付面Ｗに交差する軸方向から見て、外周面が六角形となる筒状に形成されている。
【００５１】
突起嵌合フレーム部３５４の外周面は、突起嵌合平板部３５２の外周縁と連続している。
突起嵌合フレーム部３５４の内側部分は、ナット嵌合フレーム部２３４の内側部分と同形状に形成されている。すなわち、突起嵌合フレーム部３５４の内側部分は、ナット嵌合用凹部２３８と同様、被取付面Ｗに交差する軸方向から見て、内周面が六角形となる形状に形成されている。
【００５２】
補助支持側テープ配置部３６０は、補助支持側平面部３１０のうち、被取付面Ｗと対向する面に形成された凹部である。また、補助支持側テープ配置部３６０は、補助支持部材３００を被取付面Ｗに取り付けるための粘着部２を配置可能な形状に形成されている。
補助支持側差し込み部３７０は、補助支持側外壁開口部３７２と、補助支持側溝部３７４で形成されている。
【００５３】
補助支持側外壁開口部３７２は、補助支持側外壁部３２０の一部を被取付面Ｗに沿った方向に貫通する開口部である。第一実施形態では、補助支持側外壁部３２０に、二箇所の補助支持側外壁開口部３７２を設けた場合について説明する。
また、二箇所の補助支持側外壁開口部３７２は、それぞれ、補助支持側外壁部３２０のうち、外壁長辺部３２２ａと、外壁長辺部３２２ｂに設ける。
【００５４】
補助支持側溝部３７４は、補助支持側平面部３１０のうち、被取付面Ｗと対向する面と反対側の面（照明機器１００と対向する面）に形成されている。また、補助支持側溝部３７４は、被取付面Ｗに沿って延在する溝である。
また、補助支持側外壁開口部３７２の形状と、補助支持側溝部３７４の形状は、回転用工具を差し込み可能な形状に形成する。
【００５５】
したがって、補助支持側差し込み部３７０は、補助支持部材３００の被取付面Ｗと対向する面と反対側の面に形成し、且つ被取付面Ｗに沿って延在する溝である補助支持側溝部３７４を含む。
補助支持側隔壁部３８０は、補助支持側外壁部３２０のうち、補助支持側外壁開口部３７２を設けた部分（開口させた部分）よりも、照明機器１００側の部分で形成されている。すなわち、補助支持側隔壁部３８０は、補助支持部材３００の被取付面Ｗと対向する面と反対側の面に形成されている。これに加え、補助支持側隔壁部３８０は、補助支持側外壁開口部３７２と照明機器１００との間に配置される。
【００５６】
また、補助支持側隔壁部３８０の強度は、補助支持側外壁開口部３７２に差し込んだ回転用工具で補助支持側隔壁部３８０を押圧すると、被取付面Ｗから補助支持部材３００が剥離する前に、補助支持側隔壁部３８０が破壊される強度である。
補助支持側内壁部３９０は、補助支持側平面部３１０の照明機器１００と対向する面に設けられている。また、補助支持側内壁部３９０は、被取付面Ｗに交差する軸と平行な平板状に形成されている。
【００５７】
また、補助支持側内壁部３９０の一部は、突起嵌合フレーム部３５４の外周面と対向している。また、補助支持側内壁部３９０の一部は、被取付面Ｗに交差する軸方向から見て、突起嵌合フレーム部３５４の外周面と平行である。
したがって、補助支持側溝部３７４は、補助支持側外壁部３２０及び補助支持側内壁部３９０と突起嵌合フレーム部３５４との対向する面と、補助支持側平面部３１０により形成されている。
【００５８】
補助支持部用取付具３０２は、支持部側取付具本体部３０２ａと、支持部側ねじ挿通部３０２ｂを備えている。
支持部側取付具本体部３０２ａは、角柱状に形成されている。また、支持部側取付具本体部３０２ａの形状・寸法は、支持部側取付具本体部３０２ａの軸方向を外壁長辺部３２２ａ，３２２ｂと平行に向けた状態で、補助支持側ねじ受け部３３０と突起嵌合フレーム部３５４との間に配置可能に設定されている。
【００５９】
支持部側ねじ挿通部３０２ｂは、円環状に形成されている。また、支持部側ねじ挿通部３０２ｂは、支持部側取付具本体部３０２ａのカバー取付具３０６と対向する面と連続している。また、支持部側ねじ挿通部３０２ｂが有する円形の空隙部は、補助支持部側取付ねじ３０４を挿通可能な内径である。
補助支持部側取付ねじ３０４は、頭部に、ドライバーと嵌合する十字状の凹部が形成されている。また、補助支持部側取付ねじ３０４は、軸部の外径面に、補助支持側ねじ受け部３３０の雌ねじと嵌合する雄ねじが形成されている。
【００６０】
連結部材４００は、補助支持部材３００と照明機器１００とを連結する紐状の部材である。
連結部材４００の一方の端部は、支持部側取付具本体部３０２ａに連結されている。また、連結部材４００の他方の端部は、カバー取付具３０６が備えるカバー側取付具本体部３０６ａに連結されている。したがって、補助支持部用取付具３０２とカバー取付具３０６は、連結部材４００で連結されている。
【００６１】
第一実施形態では、連結部材４００を、鎖（チェーン）で形成した場合について説明する。なお、連結部材４００の構成は、鎖（鎖状の部材）に限定するものではなく、線状、管状、帯状等の部材としてもよい。
また、連結部材４００の長さは、支持本体部材２００Ｌ，２００Ｒ及び補助支持部材３００から脱落した照明機器１００が、宙吊りとなる長さとする。ここで、「宙吊り」とは、建築物の外壁面から連結部材４００を介してぶら下がる照明機器１００が、地面に接触しない状態を含む。
【００６２】
カバー取付具３０６は、カバー側取付具本体部３０６ａと、カバー側ねじ挿通部３０６ｂを備えている。
カバー側取付具本体部３０６ａは、角柱状に形成されている。また、カバー側取付具本体部３０６ａの形状・寸法は、カバー側取付具本体部３０６ａの軸方向を外壁長辺部３２２ａ，３２２ｂと平行に向けた状態で、外壁短辺部３２４ａと突起嵌合フレーム部３５４との間に配置可能に設定されている。
【００６３】
カバー側ねじ挿通部３０６ｂは、円環状に形成されている。また、カバー側ねじ挿通部３０６ｂは、カバー側取付具本体部３０６ａの補助支持部材３００と対向する面と連続している。また、カバー側ねじ挿通部３０６ｂが有する円形の空隙部は、カバー取付具側取付ねじ３０８を挿通可能な内径である。
カバー取付具側取付ねじ３０８は、補助支持部側取付ねじ３０４と同様、頭部に、ドライバーと嵌合する十字状の凹部が形成されている。また、カバー取付具側取付ねじ３０８は、軸部の外径面に、取付カバー１０２に形成したカバー部側第二挿通孔１０６の雌ねじと嵌合する雄ねじが形成されている。なお、カバー部側第二挿通孔１０６の説明は、後述する。
【００６４】
補助支持部材３００を取付カバー１０２に結合する際には、まず、カバー取付具３０６を取付カバー１０２の補助支持部材３００と対向する面に配置する。さらに、カバー側取付具本体部３０６ａの軸方向を外壁長辺部３２２ａ，３２２ｂと平行に向ける。そして、補助支持部材３００側から、カバー側ねじ挿通部３０６ｂにカバー取付具側取付ねじ３０８の軸部のみを挿通させる。さらに、カバー部側第二挿通孔１０６の雌ねじに、カバー取付具側取付ねじ３０８の雄ねじを嵌合させる。
【００６５】
次に、連結部材４００を、突起嵌合フレーム部３５４と外壁長辺部３２２ｂとの間に配置する。これに加え、支持部側取付具本体部３０２ａを、補助支持側ねじ受け部３３０と突起嵌合フレーム部３５４との間に配置する。
そして、補助支持部材３００を取付カバー１０２に接触または近接させた状態で、取付カバー１０２に形成したカバー側作業用開口部１０８から、支持部側ねじ挿通部３０２ｂに補助支持部側取付ねじ３０４の軸部のみを挿通させる。さらに、補助支持側ねじ受け部３３０の雌ねじに、補助支持部側取付ねじ３０４が有する雄ねじを嵌合させる。なお、カバー側作業用開口部１０８の説明は、後述する。
【００６６】
したがって、補助支持部材３００と取付カバー１０２は、連結部材４００で連結されている。
粘着部２は、粘着力により被取付面Ｗに支持部材１を取り付ける。
なお、図１中では、被取付面Ｗに支持本体部材２００Ｌを取り付ける粘着部２を、符号「２Ｌ」で示す。同様に、図１中では、被取付面Ｗに支持本体部材２００Ｒを取り付ける粘着部２を、符号「２Ｒ」で示す。また、図１中では、被取付面Ｗに補助支持部材３００を取り付ける粘着部２を、符号「２Ｃ」で示す。
【００６７】
また、以降の説明において、各粘着部２を、それぞれ、「粘着部２Ｌ」、「粘着部２Ｒ」、「粘着部２Ｃ」と記載する場合がある。
第一実施形態では、粘着部２を、図１４中に示すように、被取付面側接着層２０と、支持部材側接着層２２と、基材層２４を含む両面テープで形成した場合について説明する。なお、図１４中では、説明のために、被取付面側接着層２０と、支持部材側接着層２２と、基材層２４の大きさ（厚さ）を、実際の比率とは異なる大きさに誇張して図示している。また、図１４中には、説明のために、粘着部２のみを示している。
【００６８】
被取付面側接着層２０は、例えば、アクリル系の材料を用いて形成する。また、被取付面側接着層２０は、被取付面Ｗに接着する。
支持部材側接着層２２は、被取付面側接着層２０と同様、例えば、アクリル系の材料を用いて形成する。また、支持部材側接着層２２は、支持部材１に接着する。
基材層２４は、例えば、アクリル／ポリエステル系の材料を用いて形成する。また、基材層２４は、被取付面側接着層２０と支持部材側接着層２２との間に介装する。
【００６９】
すなわち、両面テープで形成した粘着部２は、被取付面Ｗ側から、被取付面側接着層２０、基材層２４、支持部材側接着層２２の順番に積層して形成されている。
また、粘着部２Ｌの被取付面Ｗ及び支持本体部材２００Ｌと対向する面積（接着面積）は、粘着部２Ｒの被取付面Ｗ及び支持本体部材２００Ｒと対向する面積（接着面積）と同じである。さらに、粘着部２Ｃの被取付面Ｗ及び補助支持部材３００と対向する面積（接着面積）は、粘着部２Ｌ及び粘着部２Ｒの接着面積を超える大きさである。
【００７０】
したがって、被取付面Ｗに取り付けられる補助支持部材３００の面積は、被取付面Ｗに取り付けられる支持本体部材２００の面積よりも広い。
照明機器１００は、支持部材１を介して被取付面Ｗに取り付けられる機器である。また、照明機器１００は、機器本体５００と、取付カバー１０２を備えている。
第一実施形態では、照明機器１００を、内蔵した電池から電力の供給を受ける機器とした場合について説明する。これに加え、第一実施形態では、照明機器１００を、発光素子（図示せず）としてＬＥＤ素子を含む機器とした場合について説明する。
【００７１】
機器本体５００は、図１５中に示すように、照明フレーム部５１０と、照明カバー部５２０と、照明側嵌合部５３０と、電池カバー５４０を備えている。
照明フレーム部５１０は、フレーム平板部５１２と、電池収容部５１４と、フレーム枠部５１６を備えている。
フレーム平板部５１２は、長方形の平板状に形成されている。また、フレーム平板部５１２の厚さ方向は、被取付面Ｗに交差する軸と平行に向いている。
【００７２】
電池収容部５１４は、フレーム平板部５１２の内側に形成された空間である。また、電池収容部５１４は、電池を内蔵可能な形状・寸法で形成されている。
フレーム枠部５１６は、フレーム平板部５１２の外周縁を包囲する枠状に形成されている。すなわち、フレーム枠部５１６は、互いに平行な直線である二辺の長辺部分と、長辺部分と直交するとともに、互いに平行な直線である二辺の短辺部分で形成されている。
【００７３】
照明カバー部５２０は、長方形の平板状に形成されている。また、照明カバー部５２０は、フレーム平板部５１２の被取付面Ｗと対向する面と反対側の面から照明フレーム部５１０に取り付けられて、電池収容部５１４と、フレーム枠部５１６と、発光素子を覆う。
照明側嵌合部５３０は、フレーム枠部５１６の外周面から突出するフランジ状で形成されている。また、照明側嵌合部５３０は、フレーム枠部５１６の四辺のうち、一辺の長辺部分と、二辺の短辺部分を連続している。
【００７４】
照明側嵌合部５３０を形成した一辺の長辺部分は、被取付面Ｗに照明機器１００を配置した状態で下方に配置される側の長辺部分である。
また、照明側嵌合部５３０のうち、短辺部分に形成されている部分は、照明側嵌合部５３０が形成されていない長辺部分と連続する部分の手前まで形成されている。すなわち、フレーム枠部５１６の短辺部分は、被取付面Ｗに照明機器１００を配置した状態で上方に配置されるとともに、照明側嵌合部５３０よりも突出する部分を有している。
【００７５】
電池カバー５４０は、電池収容部５１４を覆う形状に形成されている。また、電池カバー５４０は、フレーム平板部５１２に取り付けられている。
取付カバー１０２は、カバー部側平面部１１０と、二つのカバー部側第一挿通孔１０４と、カバー部側第二挿通孔１０６と、カバー側作業用開口部１０８と、カバー側嵌合部１２０と、機器本体係止部１３０を備えている。
【００７６】
カバー部側平面部１１０は、被取付面Ｗと平行な平板状に形成されている。したがって、カバー部側平面部１１０の厚さ方向は、被取付面Ｗに交差する軸と平行に向いている。また、カバー部側平面部１１０は、長方形に形成されている。
各カバー部側第一挿通孔１０４は、カバー部側平面部１１０を貫通する貫通孔である。また、各カバー部側第一挿通孔１０４は、支持本体部用ボルト２０４の軸部のみを挿通可能な形状に形成されている。
【００７７】
カバー部側第二挿通孔１０６は、カバー部側平面部１１０を貫通する貫通孔である。また、カバー部側第二挿通孔１０６は、二つのカバー部側第一挿通孔１０４間に配置されている。また、カバー部側第二挿通孔１０６の内径面には、カバー取付具側取付ねじ３０８の雄ねじと嵌合する雌ねじが形成されている。
カバー側作業用開口部１０８は、カバー部側平面部１１０を貫通する開口部である。また、カバー側作業用開口部１０８は、カバー部側第二挿通孔１０６と、二つのカバー部側第一挿通孔１０４のうち、支持本体部材２００Ｒを取り付けるための支持本体部用ボルト２０４を挿通させるカバー部側第一挿通孔１０４との間に配置されている。
【００７８】
また、カバー側作業用開口部１０８の開口形状及び開口面積は、補助支持部側取付ねじ３０４を回転させるために必要な値に設定されている。
カバー側嵌合部１２０は、カバー側嵌合壁部１２２と、カバー側嵌合突出部１２４を備えている。
カバー側嵌合壁部１２２は、カバー部側平面部１１０の被取付面Ｗと対向する面と反対側の面から突出している。また、カバー側嵌合壁部１２２は、被取付面Ｗに照明機器１００を配置した状態で、フレーム枠部５１６のうち、照明側嵌合部５３０と対向する位置に形成されている。
【００７９】
また、カバー側嵌合壁部１２２のうち、被取付面Ｗに照明機器１００を配置した状態で下方に配置される側の部分は、中心及びその周辺を除く部分のみが形成されている。
カバー側嵌合突出部１２４は、カバー側嵌合壁部１２２の照明側嵌合部５３０と対向する面から突出している。また、カバー側嵌合突出部１２４は、被取付面Ｗに照明機器１００を配置した状態で、フレーム枠部５１６と対向する位置に形成されている。
【００８０】
機器本体係止部１３０は、係止突出部１３２と、二箇所のスリット部１３４と、二つの係止用突起１３６を備えている。
係止突出部１３２は、カバー部側平面部１１０と連続して形成されている。また、係止突出部１３２は、カバー部側平面部１１０のうち、被取付面Ｗに照明機器１００を配置した状態で下方に配置される側の、長辺部分の中心及びその周辺から、下方へ突出する。具体的に、係止突出部１３２は、カバー側嵌合壁部１２２のうち、被取付面Ｗに照明機器１００を配置した状態で下方に配置される側の、二箇所の部分の間に配置されている。
【００８１】
各スリット部１３４は、カバー部側平面部１１０のうち、係止突出部１３２と二箇所のカバー側嵌合壁部１２２との間に形成されている。また、各スリット部１３４は、係止突出部１３２の両側に配置されている。また、各スリット部１３４は、カバー部側平面部１１０の長辺部分のうち、被取付面Ｗに照明機器１００を配置した状態で下方に配置される側から、上方へ連続している。
【００８２】
各係止用突起１３６は、係止突出部１３２の被取付面Ｗと対向する面と反対側の面から突出している。また、各係止用突起１３６は、スリット部１３４からの距離が等距離となるように配置されている。また、各係止用突起１３６の形状は、取付カバー１０２の側面視で、上方から下方へ向かうにつれて係止突出部１３２からの突出量が連続的に増加する形状である。
【００８３】
（照明機器１００の配置）
次に、図１から図１５を参照して、第一実施形態の照明機器１００を、被取付面Ｗに配置する手順を説明する。
照明機器１００を被取付面Ｗに取り付ける際には、まず、粘着部２Ｌ、粘着部２Ｒ及び粘着部２Ｃから、それぞれ、支持部材側接着層２２に貼り付けられている剥離紙（図示せず）を剥がす。
【００８４】
次に、被取付面Ｗと各粘着部２（粘着部２Ｌ、粘着部２Ｒ、粘着部２Ｃ）を対向させた状態で、被取付面Ｗの予め設定した位置に各粘着部２を押し付ける。これにより、支持本体部材２００Ｌ、支持本体部材２００Ｒ及び補助支持部材３００を被取付面Ｗに取り付けて、照明機器１００の被取付面Ｗへの配置を終了する。
【００８５】
（支持部材１の取り外し）
次に、図１から図１５を参照して、第一実施形態の支持部材１を、被取付面Ｗから取り外す手順を説明する。
支持部材１を取り外す際には、まず、係止突出部１３２を被取付面Ｗ側へ押圧して変形させ、各係止用突起１３６を被取付面Ｗ側へ移動させた状態で、機器本体５００を取付カバー１０２から上方へ取り外す。なお、機器本体５００を取付カバー１０２から取り外す手順は、機器本体５００に内臓した電池を交換する際も同様である。
【００８６】
そして、各支持本体部用ボルト２０４を回転させて各支持本体部用ナット２０２から取り外し、補助支持部側取付ねじ３０４を回転させて補助支持側ねじ受け部３３０から取り外す。
次に、取付カバー１０２から、支持本体部材２００Ｌと、支持本体部材２００Ｒと、補助支持部材３００を取り外す。これにより、支持本体部材２００Ｌ、支持本体部材２００Ｒ及び補助支持部材３００が、それぞれ、粘着部２の粘着力により被取付面Ｗに取り付けられている状態とする。
【００８７】
そして、支持本体側外壁開口部２５２と支持本体側溝部２５４を含んで形成する支持本体側差し込み部２５０に、回転用工具を差し込んで回転力を発生させることにより、支持本体部材２００Ｌ，２００Ｒを、被取付面Ｗに交差する軸を中心として回転させる。これにより、粘着部２Ｌ，２Ｒに剪断応力を発生させて粘着部２Ｌ，２Ｒを破壊する。
具体的には、マイナスドライバー等の工具を支持本体側差し込み部２５０に差し込み、マイナスドライバーの先端を支持本体側内壁部２７０に当て、さらに、マイナスドライバーをナット嵌合フレーム部２３４に押し当てるようにして、支持本体部材２００を回転させる。
【００８８】
同様に、補助支持側外壁開口部３７２と補助支持側溝部３７４を含んで形成する補助支持側差し込み部３７０に、回転用工具を差し込んで回転力を発生させることにより、補助支持部材３００を、被取付面Ｗに交差する軸を中心として回転させる。これにより、粘着部２Ｃに剪断応力を発生させて粘着部２Ｃを破壊する。
具体的には、マイナスドライバー等の工具を補助支持側差し込み部３７０に差し込み、マイナスドライバーの先端を補助支持側内壁部３９０に当て、さらに、マイナスドライバーを突起嵌合フレーム部３５４に押し当てるようにして、補助支持部材３００を回転させる。
【００８９】
各粘着部２を破壊した状態で、支持本体部材２００Ｌと、支持本体部材２００Ｒと、補助支持部材３００を、被取付面Ｗから取り外す。これにより、支持部材１の被取付面Ｗからの取り外しを終了する。
以上説明したように、支持本体側外壁開口部２５２と支持本体側溝部２５４を含んで形成する支持本体側差し込み部２５０は、回転工具嵌合部４ａを形成している。
【００９０】
回転工具嵌合部４ａは、回転用工具による回転力が、粘着部２を介して被取付面Ｗに取り付けられた支持本体部材２００を被取付面Ｗに交差する軸を中心として回転させる回転力となるように、回転用工具を支持本体部材２００に嵌合させる構成である。
また、補助支持側外壁開口部３７２と補助支持側溝部３７４を含んで形成する補助支持側差し込み部３７０は、回転工具嵌合部４ｂを形成している。
【００９１】
回転工具嵌合部４ｂは、回転用工具による回転力が、粘着部２を介して被取付面Ｗに取り付けられた補助支持部材３００を被取付面Ｗに交差する軸を中心として回転させる回転力となるように、回転用工具を補助支持部材３００に嵌合させる構成である。
したがって、回転用工具による回転力を、粘着部２を介して被取付面Ｗに取り付けられた支持部材１を被取付面Ｗに対して変位させて、粘着部２を破壊する応力に変換する、破壊応力発生部は、回転工具嵌合部４ａ及び回転工具嵌合部４ｂを含む。
【００９２】
また、上述したように、支持部材１を被取付面Ｗから取り外す方法（支持具取り外し方法）では、粘着部２の粘着力により被取付面Ｗへ取り付けられた支持部材１を、回転用工具による回転力で被取付面Ｗに対して変位させる。これにより、粘着部２を破壊する応力を発生させて、粘着部２の少なくとも一部及び支持部材１を、被取付面Ｗから取り外す。
また、上述したように、支持具取り外し方法では、支持部材１を、支持部材１に嵌合させた回転用工具による回転力で被取付面Ｗに交差する軸を中心として回転させる。これにより、粘着部２の少なくとも一部及び支持部材１を、被取付面Ｗから取り外す。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００９３】
（第一実施形態の効果）
第一実施形態では、以下に記載する効果を奏することが可能となる。
（１）回転用工具による回転力を、粘着部２を介して被取付面Ｗに取り付けられた支持部材１を被取付面Ｗに対して変位させて、粘着部２を破壊する応力に変換する、破壊応力発生部（回転工具嵌合部４ａ及び回転工具嵌合部４ｂ）を含む。
【００９４】
このため、回転用工具による回転力を、支持部材を被取付面に対して変位させて粘着部を破壊する応力に変換することにより、粘着部に破壊応力を発生させて粘着部を破壊し、被取付面から粘着部の少なくとも一部及び支持部材を取り外すことが可能となる。
その結果、支持部材１を取り外した被取付面の損傷を抑制することが可能な、支持具取付構造を提供することが可能となる。
【００９５】
（２）破壊応力発生部は、回転用工具による回転力が、粘着部２を介して被取付面Ｗに取り付けられた支持部材１を被取付面Ｗに交差する軸を中心として回転させる回転力となるように、回転用工具を支持部材１に嵌合させる回転工具嵌合部４を含む。
このため、回転用工具による回転力で支持部材１を回転させることにより、粘着部２に剪断応力を発生させて粘着部２を破壊し、被取付面Ｗから粘着部２の少なくとも一部及び支持部材１を取り外すことが可能となる。
その結果、支持部材１を取り外した被取付面Ｗの損傷を抑制することが可能な、支持具取付構造を提供することが可能となる。
【００９６】
（３）回転工具嵌合部が含む差し込み部（支持本体側差し込み部２５０、補助支持側差し込み部３７０）が、回転用工具を差し込み可能な形状である。
その結果、スクリュードライバーや、六角レンチ等を、支持部材１を被取付面Ｗに交差する軸を中心として回転させる回転力を発生させるための回転用工具として用いることが可能となる。
【００９７】
（４）支持本体側差し込み部２５０が、支持本体部材２００の被取付面Ｗと対向する面と反対側の面に形成し、且つ被取付面Ｗに沿って延在する溝である支持本体側溝部２５４を含む。同様に、補助支持側差し込み部３７０が、補助支持部材３００の被取付面Ｗと対向する面と反対側の面に形成し、且つ被取付面Ｗに沿って延在する溝である補助支持側溝部３７４を含む。
その結果、支持部材１に対し、回転用工具を、被取付面Ｗに沿って差し込むことが可能となる。
【００９８】
（５）支持本体側隔壁部２６０の強度を、支持本体側差し込み部２５０に差し込んだ回転用工具で支持本体側隔壁部２６０を押圧すると、被取付面Ｗから支持部材１が剥離する前に支持本体側隔壁部２６０が破壊される強度とする。同様に、補助支持側隔壁部３８０の強度を、補助支持側外壁開口部３７２に差し込んだ回転用工具で補助支持側隔壁部３８０を押圧すると、被取付面Ｗから補助支持部材３００が剥離する前に、補助支持側隔壁部３８０が破壊される強度とする。
【００９９】
その結果、被取付面Ｗから粘着部２の少なくとも一部及び支持部材１を取り外すために、回転工具嵌合部４に差し込んだ回転用工具で、支持部材１を被取付面Ｗに交差する軸を中心として回転させる動作が必要であることを、作業者に認識させることが可能となる。
【０１００】
（６）粘着部２Ｃを介して被取付面Ｗに取り付けられる補助支持部材３００の面積が、粘着部２Ｌ，２Ｒを介して被取付面Ｗに取り付けられる支持本体部材２００Ｌ，２００Ｒの面積よりも広い。 
その結果、時間の経過や水による浸食等によって粘着部２の粘着力が低下して、支持本体部材２００が被取付面Ｗから脱落した場合であっても、補助支持部材３００が被取付面Ｗに取り付けられている状態を保持することが可能となる。
【０１０１】
（７）補助支持部材３００と照明機器１００とを連結する連結部材４００の長さを、支持本体部材２００Ｌ，２００Ｒ及び補助支持部材３００から脱落した照明機器１００が宙吊りとなる長さとする。
その結果、時間の経過や水による浸食等によって粘着部２の粘着力が低下して、支持本体部材２００が被取付面Ｗから脱落した場合であっても、照明機器１００の損傷を防止することが可能となる。
【０１０２】
（８）粘着部２が、被取付面側接着層２０と、支持部材側接着層２２と、基材層２４を含む。
その結果、粘着部２を、切断等が容易な両面テープで形成することが可能となる。
（９）被取付面Ｗに配置し、支持部材１で支持する機器を、屋外用の照明機器１００とする。
その結果、支持部材１を取り外した被取付面Ｗとして、塀の側面や建築物の外壁面に対し、損傷を抑制することが可能な、支持具取付構造を提供することが可能となる。
【０１０３】
（１０）照明機器１００は、内蔵した電池から電力の供給を受ける。
その結果、既存の建築物に対して照明機器１００を追加して設ける場合等（リフォーム等）に、電力供給用のケーブルを必要とせずに、照明機器１００を設置することが可能となる。
（１１）照明機器１００が、発光素子としてＬＥＤ素子を含む。
その結果、耐久性及び経済性に優れた照明機器１００を提供することが可能となる。
【０１０４】
（１２）支持本体部材２００の照明機器１００と対向する面に、支持本体部材２００を被取付面Ｗに交差する軸を中心として回転させる方向を示す支持本体側表記２１２を設ける。同様に、補助支持部材３００の照明機器１００と対向する面に、補助支持部材３００を被取付面Ｗに交差する軸を中心として回転させる方向を示す補助支持側表記３１２を設ける。
その結果、被取付面Ｗから粘着部２の少なくとも一部及び支持部材１を取り外すために、回転工具嵌合部４に差し込んだ回転用工具で、支持部材１を被取付面Ｗに交差する軸を中心として回転させる動作が必要であることを、作業者に認識させることが可能となる。
【０１０５】
（１３）支持具取り外し方法では、支持部材１を、回転用工具による回転力で被取付面Ｗに対して変位させる。これにより、粘着部２を破壊する応力を発生させて、粘着部２の少なくとも一部及び支持部材１を、被取付面Ｗから取り外す。
このため、回転用工具による回転力を、支持部材を被取付面に対して変位させて粘着部を破壊する応力に変換することにより、粘着部に破壊応力を発生させて粘着部を破壊し、被取付面から粘着部の少なくとも一部及び支持部材を取り外すことが可能となる。
その結果、支持部材１を取り外した被取付面の損傷を抑制することが可能な、支持具取付方法を提供することが可能となる。
【０１０６】
（１４）支持具取り外し方法では、支持部材１を、支持部材１に嵌合させた回転用工具による回転力で被取付面Ｗに交差する軸を中心として回転させることで、粘着部２の少なくとも一部及び支持部材１を、被取付面Ｗから取り外す。
このため、回転用工具による回転力で支持部材１を回転させることにより、粘着部２に剪断応力を発生させて粘着部２を破壊し、被取付面Ｗから粘着部２の少なくとも一部及び支持部材１を取り外すことが可能となる。
その結果、支持部材１を取り外した被取付面Ｗの損傷を抑制することが可能な、支持具取り外し方法を提供することが可能となる。
【０１０７】
（変形例）
（１）第一実施形態では、支持本体側差し込み部２５０が支持本体側溝部２５４を含み、補助支持側差し込み部３７０が補助支持側溝部３７４を含む構成としたが、これに限定するものではない。
すなわち、例えば、図１６中に示すように、支持本体側差し込み部２５０の構成を、支持本体部材２００の被取付面Ｗと対向する面と反対側の面の中心に開口した貫通孔であるレンチ挿入貫通孔６００を含む構成としてもよい。なお、図１６中には、説明のために、支持本体部材２００の構成を簡略化して示している。
【０１０８】
なお、レンチ挿入貫通孔６００の形状は、例えば、支持本体部材２００を被取付面Ｗに交差する軸を中心として回転させることが可能な六角レンチ（回転用工具）を挿入可能な形状に形成する。
この場合、支持本体部材２００に対し、回転用工具（六角レンチ）を、被取付面Ｗに交差する方向から差し込むことが可能となる。このため、例えば、支持本体部材２００の周辺に空間が存在しない場合であっても、支持本体部材２００を被取付面Ｗに交差する軸を中心として回転させることが可能となる。
なお、支持本体側差し込み部２５０の構成は、支持本体部材２００の被取付面Ｗと対向する面と反対側の面の中心に開口した凹部（図示せず）としてもよい。
【０１０９】
また、例えば、図１７中に示すように、補助支持側差し込み部３７０の構成を、補助支持部材３００の被取付面Ｗと対向する面と反対側の面の中心に開口したドライバー挿入凹部７００を含む構成としてもよい。なお、図１７中には、説明のために、補助支持部材３００の構成を簡略化して示している。
なお、ドライバー挿入凹部７００の形状は、例えば、補助支持部材３００を被取付面Ｗに交差する軸を中心として回転させることが可能なプラスドライバー（回転用工具）を挿入可能な形状（十字状）に形成する。
【０１１０】
この場合、補助支持部材３００に対し、回転用工具（プラスドライバー）を、被取付面Ｗに交差する方向から差し込むことが可能となる。このため、例えば、補助支持部材３００の周辺に空間が存在しない場合であっても、補助支持部材３００を被取付面Ｗに交差する軸を中心として回転させることが可能となる。
また、補助支持側差し込み部３７０の構成は、補助支持部材３００の被取付面Ｗと対向する面と反対側の面の中心に開口した貫通孔（図示せず）としてもよい。
【０１１１】
（２）第一実施形態では、支持本体側差し込み部２５０が支持本体側溝部２５４を含み、補助支持側差し込み部３７０が補助支持側溝部３７４を含む構成としたが、これに限定するものではない。
すなわち、例えば、図１８中に示すように、支持本体側差し込み部２５０の構成を、支持本体部材２００の一部を被取付面Ｗに沿った方向に貫通する貫通孔である傾斜貫通孔８００を含む構成としてもよい。なお、図１８中には、説明のために、支持本体部材２００の構成を簡略化して示している。
【０１１２】
この場合、支持本体部材２００に対し、回転用工具による回転力を、傾斜貫通孔８００の内面に加えることが可能となる。このため、支持本体部材２００を被取付面Ｗに交差する軸を中心として回転させる回転力を、回転用工具から支持本体部材２００へ効率的に伝達することが可能となる。
なお、支持本体側差し込み部２５０の構成は、支持本体部材２００の全部を被取付面Ｗに沿った方向に貫通する貫通孔（図示せず）としてもよい。
【０１１３】
また、例えば、図１９中に示すように、補助支持側差し込み部３７０の構成を、補助支持部材３００の全部を被取付面Ｗに沿った方向に貫通する貫通孔である平行貫通孔９００を含む構成としてもよい。なお、図１９中には、説明のために、補助支持部材３００の構成を簡略化して示している。
この場合、補助支持部材３００に対し、回転用工具による回転力を、平行貫通孔９００の内面に加えることが可能となる。このため、補助支持部材３００を被取付面Ｗに交差する軸を中心として回転させる回転力を、回転用工具から補助支持部材３００へ効率的に伝達することが可能となる。
また、補助支持側差し込み部３７０の構成は、補助支持部材３００の一部を被取付面Ｗに沿った方向に貫通する貫通孔（図示せず）としてもよい。
【０１１４】
（３）第一実施形態では、被取付面Ｗに配置し、支持部材１で支持する機器を、屋外用の照明機器１００としたが、これに限定するものではない。すなわち、被取付面Ｗに配置し、支持部材１で支持する機器を、屋内用の照明機器としてもよい。この場合、被取付面は建築物の内壁面となり、本発明を適用することにより、支持部材１を取り外した内壁面の損傷を抑制することが可能となる。
【０１１５】
（４）第一実施形態では、照明機器１００を、内蔵した電池から電力の供給を受ける機器としたが、これに限定するものではない。すなわち、照明機器を、ケーブル等を介して電力を供給されて動作する機器としてもよい。この場合、照明機器を被取付面Ｗに取り付ける際には、建築物に設けられた電力供給用のケーブルを照明機器に接続する。
（５）第一実施形態では、回転用工具として、スクリュードライバーや六角レンチ等を用いたが、これに限定するものではない。すなわち、例えば、被取付面Ｗに交差する軸方向から見て六角形に形成されているナット嵌合フレーム部２３４に嵌合可能なラチェットを、回転用工具として用いてもよい。同様に、被取付面Ｗに交差する軸方向から見て六角形に形成されている突起嵌合フレーム部３５４に嵌合可能なラチェットを、回転用工具として用いてもよい。
【０１１６】
（第二実施形態）
以下、本発明の第二実施形態について、図面を参照しつつ説明する。
（本発明の第二実施形態の概要）
本発明の第二実施形態の支持具取付構造及び支持具取り外し方法を適用する対象の機器（照明機器）は、照明機器を配置する対象である外壁や塀等の被取付面に、照明機器を支持する部材である支持部材に支持された状態で配置される。
【０１１７】
ここで、支持部材は、両面テープ等で形成した粘着部を介して被取付面に取り付ける。また、照明機器と支持部材は、両面テープのうち被取付面へ取り付ける面に剥離紙（剥離フィルム）を貼り付けた状態で、予め組み立てられて梱包される。
また、本発明の第二実施形態の支持具取付構造及び支持具取り外し方法では、支持部材から照明機器を取り外した後に、回転用工具による回転力を支持部材を被取付面から離間させる力に変換して、粘着部を破壊する応力を発生させることで、粘着部に破壊応力を発生させて粘着部を破壊する。
そして、被取付面から、破壊した粘着部の少なくとも一部とともに、支持部材を取り外す。
【０１１８】
（支持具取付構造）
図１を参照しつつ、図２０から図２７を用いて、第二実施形態の支持具取付構造について説明する。なお、第二実施形態の支持具取付構造は、支持部材１以外の構成は、上述した第一実施形態と同様である。このため、以降の説明は、支持部材１についてのみ記載する。
支持部材１は、二つの支持本体部材２００（２００Ｌ，２００Ｒ）と、一つの補助支持部材３００を備える（図１参照）。
【０１１９】
各支持本体部材２００は、図２０から図２３中に示すように、支持本体側平面部２１０と、支持本体側外壁部２２０と、支持本体側テープ配置部２４０を備えている。
なお、図２０から図２３中には、二つの支持本体部材２００のうち支持本体部材２００Ｌを示しているが、支持本体部材２００Ｒの構成は、被取付面Ｗと照明機器１００との間に配置される際の位置及び向きを除き、支持本体部材２００Ｌと同様である。
【０１２０】
支持本体側平面部２１０は、被取付面Ｗと平行な平板状に形成されている。したがって、支持本体側平面部２１０の厚さ方向は、被取付面Ｗに交差する軸と平行に向いている。
また、支持本体側平面部２１０は、方形（略正方形）に形成されている。具体的には、支持本体側平面部２１０の外周縁は、互いに直交する三辺の直線部分と、長手方向が平行である二辺の直線部分間を連続する一辺の湾曲部分で形成されている。また、支持本体側平面部２１０の外周縁のうち、湾曲部分は、補助支持部材３００側へ向いている。
【０１２１】
なお、支持本体部材２００Ｌ及び支持本体部材２００Ｒは、被取付面Ｗと照明機器１００との間に、湾曲部分を補助支持部材３００と対向させた向きで配置される。
また、支持本体側平面部２１０は、三箇所の本体側貫通孔２１４と、三つの本体側ねじ部材２１６を備えている。
各本体側貫通孔２１４は、支持本体側平面部２１０を被取付面Ｗに交差する軸に沿って貫通する孔である。
【０１２２】
また、各本体側貫通孔２１４の内径面には、それぞれ、本体側雌ねじ（図示せず）が形成されている。
また、三箇所の本体側貫通孔２１４は、支持本体側平面部２１０のうち、支持本体部材２００を被取付面Ｗと直交する方向から見て、支持本体部材２００の中心を包囲する仮想的に形成した三角形の頂点のそれぞれに配置されている。
【０１２３】
三箇所の本体側貫通孔２１４のうち二つは、それぞれ、支持本体側平面部２１０の外周縁を形成する三辺の直線部分のうち連続する二辺で形成される二箇所の角部と、支持本体部材２００の中心との間に配置されている。
三つの本体側ねじ部材２１６は、それぞれ、三箇所の本体側貫通孔２１４内に挿通されている。
【０１２４】
各本体側ねじ部材２１６の長さは、支持本体部材２００の厚さ以下に設定されている。
第二実施形態では、一例として、各本体側ねじ部材２１６の長さが、支持本体部材２００の厚さと同じ長さに設定されている場合を説明する。
なお、支持本体部材２００を被取付面Ｗに取り付けている状態では、図中に示すように、各本体側ねじ部材２１６全体が、支持本体部材２００の照明機器１００と対向する面及び被取付面Ｗと対向する面から突出しない状態で、本体側貫通孔２１４内に挿通されている。
【０１２５】
すなわち、各本体側ねじ部材２１６の外径は、本体側貫通孔２１４の内径以下である。
なお、各本体側ねじ部材２１６の構成は、本体側ねじ部材２１６全体が本体側貫通孔２１４内に挿通される構成に限定するものではなく、例えば、基端側に本体側貫通孔２１４の内径よりも大径の部分（頭部）を設けた構成としてもよい。
また、各本体側ねじ部材２１６の外径面には、本体側雌ねじと嵌合する本体側雄ねじ（図示せず）が形成されている。
【０１２６】
各本体側ねじ部材２１６の先端は、あら先、面取り先、丸先のうちいずれかである。
第二実施形態では、一例として、各本体側ねじ部材２１６の先端が、面取り先である場合を説明する。
各本体側ねじ部材２１６の基端面には、回転用工具を差し込むための凹部２１６ａが設けられている。
【０１２７】
第二実施形態では、一例として、凹部２１６ａが、プラスドライバーを差し込むための十字形の凹部である場合を説明する。
なお、凹部２１６ａの構成は、プラスドライバーを差し込むための十字形の凹部に限定するものではなく、例えば、マイナスドライバーを差し込むための一直線の凹部や、六角レンチを差し込むための六角形の凹部としてもよい。
【０１２８】
また、支持本体側平面部２１０のうち、照明機器１００と対向する面には、三箇所の支持本体側表記２１２が設けられている。
支持本体側表記２１２は、回転用工具を被取付面Ｗに交差する軸を中心として回転させる方向を示す表記である。
第二実施形態では、各支持本体側表記２１２を、単方向矢印と、文字とした場合について説明する。
【０１２９】
なお、支持本体側表記２１２である単方向矢印は、回転用工具を被取付面Ｗに交差する軸を中心として回転させる方向を示す矢印である。
具体的には、支持本体側表記２１２である単方向矢印は、本体側ねじ部材２１６を本体側貫通孔２１４内で回転させることで、本体側ねじ部材２１６を被取付面Ｗ側へ移動させる回転方向を示す矢印である。
【０１３０】
なお、回転用工具は、本体側ねじ部材２１６や、後述する補助側ねじ部材３１８を、被取付面Ｗに交差する軸を中心として回転させる回転力を発生させるために用いる工具である。また、回転用工具としては、例えば、スクリュードライバーや、Ｌ字形のレンチ（六角レンチ等）を用いる。
また、支持本体側表記２１２である文字は、支持本体部材２００を被取付面Ｗから取り外す動作を意味する文字（図中に示す「はがす」）である。
【０１３１】
また、第二実施形態では、三箇所の支持本体側表記２１２のうち一つを、一辺の湾曲部分に最も近い本体側貫通孔２１４と支持本体側平面部２１０の中心との間に配置した場合について説明する。
一辺の湾曲部分に最も近い本体側貫通孔２１４と支持本体側平面部２１０の中心との間に配置した支持本体側表記２１２は、支持本体側表記２１２である文字を、支持本体側平面部２１０の中心から見て、通常の向きで視認可能な形状に形成する。
【０１３２】
さらに、第二実施形態では、残りの二箇所の支持本体側表記２１２のうち一方を、角部と支持本体部材２００の中心との間に配置した本体側貫通孔２１４よりも、被取付面Ｗである外壁面の上下方向で下方に配置する。また、第二実施形態では、三箇所の支持本体側表記２１２のうち他方を、角部と支持本体部材２００の中心との間に配置した本体側貫通孔２１４よりも、被取付面Ｗである外壁面の上下方向で上方に配置する。
【０１３３】
また、第二実施形態では、本体側貫通孔２１４よりも外壁面の上下方向で上方及び下方に配置した二箇所の支持本体側表記２１２を、それぞれ、支持本体側平面部２１０の中心よりも上方に配置した状態で、支持本体側表記２１２である文字を通常の向きで視認可能な形状に形成する。
したがって、上下方向を逆転させた向きで配置した支持本体部材２００Ｌ及び支持本体部材２００Ｒは、部品の共通化が可能である。
【０１３４】
以上により、支持本体部材２００の照明機器１００と対向する面には、支持本体部材２００を被取付面Ｗから離間させるために回転用工具を回転させる方向を示す表記として、支持本体側表記２１２が設けられている。
また、支持本体側平面部２１０には、支持本体部用ボルト挿通孔２３６が形成されている。支持本体部用ボルト挿通孔２３６の構成は、上述した第一実施形態と同様であるため、その説明を省略する。
【０１３５】
また、支持本体側平面部２１０のうち、被取付面Ｗと対向する面には、ナット嵌合用凹部２３８が形成されている。ナット嵌合用凹部２３８の構成は、上述した第一実施形態と同様であるため、その説明を省略する。
支持本体側外壁部２２０は、支持本体側平面部２１０の外周縁と連続する壁面である。
また、支持本体側外壁部２２０は、支持本体部材２００の外周縁の全周に亘って、同じ幅である。すなわち、支持本体部材２００は、厚さの均一な板状に形成されている。
【０１３６】
支持本体側テープ配置部２４０は、支持本体側平面部２１０のうち、被取付面Ｗと対向する面に形成された凹部である。また、支持本体側テープ配置部２４０は、支持本体部材２００を被取付面Ｗに取り付けるための粘着部２を配置可能な形状に形成されている。
また、支持本体側テープ配置部２４０は、支持本体側平面部２１０の被取付面Ｗと対向する面のうち、被取付面Ｗと直交する方向から見て、本体側貫通孔２１４と重ならない位置及び形状に形成されている。
【０１３７】
補助支持部材３００は、各支持本体部材２００と同様、被取付面Ｗと照明機器１００が備える取付カバー１０２との間に配置される部材である。
また、補助支持部材３００は、図２４から図２７中に示すように、補助支持側平面部３１０と、補助支持側外壁部３２０と、補助支持側ねじ受け部３３０と、補助支持側作業用開口部３４０と、補助支持側テープ配置部３６０を備えている。
【０１３８】
補助支持側平面部３１０は、被取付面Ｗと平行な平板状に形成されている。したがって、補助支持側平面部３１０の厚さ方向は、被取付面Ｗに交差する軸と平行に向いている。
また、補助支持側平面部３１０は、角部に面取りを設けた長方形に形成されている。具体的には、補助支持側平面部３１０の外周縁は、互いに平行な直線である二辺の長辺部分と、長辺部分と直交するとともに、互いに平行な直線である二辺の短辺部分で形成されている。また、長辺部分の長さは、短辺部分の長さよりも長い。また、補助支持部材３００の外周縁のうち、二辺の短辺部分は、それぞれ、各支持本体側平面部２１０側へ向いている。
【０１３９】
また、補助支持側平面部３１０は、四箇所の補助側貫通孔３１６と、四つの補助側ねじ部材３１８を備えている。
各補助側貫通孔３１６は、補助支持側平面部３１０を被取付面Ｗに交差する軸に沿って貫通する孔である。
また、各補助側貫通孔３１６の内径面には、それぞれ、補助側雌ねじ（図示せず）が形成されている。
【０１４０】
また、四箇所の補助側貫通孔３１６は、補助支持側平面部３１０のうち、補助支持部材３００を被取付面Ｗと直交する方向から見て、補助支持部材３００の対角線上において、対角線の交点を挟んで互いに離間して配置されている。
四つの補助側ねじ部材３１８は、それぞれ、四箇所の補助側貫通孔３１６内に挿通されている。
【０１４１】
各補助側ねじ部材３１８の長さは、補助支持部材３００の厚さ以下に設定されている。
第二実施形態では、一例として、各補助側ねじ部材３１８の長さが、補助支持部材３００の厚さと同じ長さに設定されている場合を説明する。
なお、補助支持部材３００を被取付面Ｗに取り付けている状態では、図中に示すように、各補助側ねじ部材３１８が、補助支持部材３００の照明機器１００と対向する面及び被取付面Ｗと対向する面から突出しない状態で、補助側貫通孔３１６内に挿通されている。
【０１４２】
すなわち、各補助側ねじ部材３１８の外径は、補助側貫通孔３１６の内径以下である。
なお、各補助側ねじ部材３１８の構成は、補助側ねじ部材３１８全体が補助側貫通孔３１６内に挿通される構成に限定するものではなく、例えば、基端側に補助側貫通孔３１６の内径よりも大径の部分（頭部）を設けた構成としてもよい。
また、各補助側ねじ部材３１８の外径面には、補助側雌ねじと嵌合する補助側雄ねじ（図示せず）が形成されている。
【０１４３】
各補助側ねじ部材３１８の先端は、あら先、面取り先、丸先のうちいずれかである。
第二実施形態では、一例として、各補助側ねじ部材３１８の先端が、面取り先である場合を説明する。
各補助側ねじ部材３１８の基端面には、回転用工具を差し込むための凹部３１８ａが設けられている。
【０１４４】
第二実施形態では、一例として、凹部３１８ａが、プラスドライバーを差し込むための十字形の凹部である場合を説明する。
なお、凹部３１８ａの構成は、凹部２１６ａと同様、プラスドライバーを差し込むための十字形の凹部に限定するものではなく、例えば、マイナスドライバーを差し込むための一直線の凹部や、六角レンチを差し込むための六角形の凹部としてもよい。
【０１４５】
また、補助支持側平面部３１０のうち、照明機器１００と対向する面には、四箇所の補助支持側表記３１２と、二箇所の連結部材配置表記３１４が設けられている。
補助支持側表記３１２は、回転用工具を被取付面Ｗに交差する軸を中心として回転させる方向を示す表記である。
第一実施形態では、補助支持側表記３１２を、単方向矢印と、文字とした場合について説明する。
【０１４６】
なお、補助支持側表記３１２である単方向矢印は、回転用工具を被取付面Ｗに交差する軸を中心として回転させる方向を示す矢印である。
具体的には、補助支持側表記３１２である単方向矢印は、補助側ねじ部材３１８を補助側貫通孔３１６内で回転させることで、補助側ねじ部材３１８を被取付面Ｗ側へ移動させる回転方向を示す矢印である。
【０１４７】
また、補助支持側表記３１２である文字は、補助支持部材３００を被取付面Ｗから取り外す動作を意味する文字（図中に示す「はがす」）である。
また、第二実施形態では、四箇所の補助支持側表記３１２のうち二つを、それぞれ、補助側貫通孔３１６よりも、被取付面Ｗである外壁面の上下方向で下方に配置した場合について説明する。これに加え、第二実施形態では、四箇所の補助支持側表記３１２のうち残りの二つを、それぞれ、補助側貫通孔３１６よりも、被取付面Ｗである外壁面の上下方向で上方に配置した場合について説明する。
【０１４８】
また、第二実施形態では、補助側貫通孔３１６よりも外壁面の上下方向で上方及び下方に配置した二箇所の補助支持側表記３１２を、それぞれ、補助支持側平面部３１０の中心よりも上方に配置した状態で、補助支持側表記３１２である文字を通常の向きで視認可能な形状に形成する。
以上により、補助支持部材３００の照明機器１００と対向する面には、補助支持部材３００を被取付面Ｗから離間させるために回転用工具を回転させる方向を示す表記として、補助支持側表記３１２が設けられている。
【０１４９】
各連結部材配置表記３１４の構成は、上述した第一実施形態と同様であるため、その説明を省略する。
補助支持側外壁部３２０は、補助支持側平面部３１０の外周縁と連続する壁面である。
また、補助支持側外壁部３２０は、補助支持部材３００の外周縁の全周に亘って、同じ幅である。すなわち、補助支持部材３００は、厚さの均一な板状に形成されている。
【０１５０】
補助支持側ねじ受け部３３０及び補助支持側作業用開口部３４０の構成は、上述した第一実施形態と同様であるため、その説明を省略する。
補助支持側平面部３１０には、位置決め用突起挿入孔３５６が形成されている。位置決め用突起挿入孔３５６の構成は、上述した第一実施形態と同様であるため、その説明を省略する。
【０１５１】
補助支持側テープ配置部３６０は、補助支持側平面部３１０のうち、被取付面Ｗと対向する面に形成された凹部である。また、補助支持側テープ配置部３６０は、補助支持部材３００を被取付面Ｗに取り付けるための粘着部２を配置可能な形状に形成されている。
また、補助支持側テープ配置部３６０は、補助支持側平面部３１０の被取付面Ｗと対向する面のうち、被取付面Ｗと直交する方向から見て、補助側貫通孔３１６と重ならない位置及び形状に形成されている。
【０１５２】
（照明機器１００の配置）
第二実施形態の照明機器１００を、被取付面Ｗに配置する手順は、上述した第一実施形態と同様であるため、その説明を省略する。
（支持部材１の取り外し）
次に、図１、図２０から図２７を参照して、第二実施形態の支持部材１を、被取付面Ｗから取り外す手順を説明する。
【０１５３】
支持部材１を取り外す際には、まず、上述した第一実施形態と同様の手順により、支持本体部材２００Ｌ、支持本体部材２００Ｒ及び補助支持部材３００が、それぞれ、粘着部２の粘着力により被取付面Ｗに取り付けられている状態とする。
以下、支持本体部材２００Ｌ，２００Ｒを被取付面Ｗから取り外す手順について、説明する。
【０１５４】
まず、回転用工具（プラスドライバー）を用いて、三箇所のうち一箇所の本体側貫通孔２１４内に挿通された一つの本体側ねじ部材２１６を回転させて、本体側ねじ部材２１６を、先端側から被取付面Ｗ側へ移動させる。そして、本体側ねじ部材２１６の先端部が被取付面Ｗへ接触した後は、さらに、本体側ねじ部材２１６を回転させることで、支持本体部材２００Ｌ，２００Ｒを、被取付面Ｗから離間させる。
【０１５５】
すなわち、本体側ねじ部材２１６は、回転用工具による回転力で支持本体部材２００Ｌ，２００Ｒの被取付面Ｗと対向する面から突出して被取付面Ｗを押圧することにより、支持本体部材２００Ｌ，２００Ｒを被取付面Ｗから離間させる。
この状態では、被取付面Ｗに沿った方向から見て、支持本体部材２００Ｌ，２００Ｒが被取付面Ｗに対して傾斜した状態で、粘着部２Ｌ，２Ｒの基材層２４が、回転させた本体側ねじ部材２１６に近い部分を起点として、被取付面Ｗと直交する方向に沿って引き伸ばされた状態となる。
【０１５６】
次に、先端部が被取付面Ｗへ接触していない一つの本体側ねじ部材２１６を回転させて、本体側ねじ部材２１６を、先端側から被取付面Ｗ側へ移動させる。そして、本体側ねじ部材２１６の先端部が被取付面Ｗへ接触した後は、さらに、本体側ねじ部材２１６を回転させることで、支持本体部材２００Ｌ，２００Ｒを、被取付面Ｗから離間させる。
この状態でも、先に回転させた本体側ねじ部材２１６に近い部分と同様、粘着部２Ｌ，２Ｒの基材層２４が、回転させた本体側ねじ部材２１６に近い部分を起点として、被取付面Ｗと直交する方向に沿って引き伸ばされた状態となる。
【０１５７】
次に、三箇所のうち、残りの一箇所の本体側貫通孔２１４内に挿通された一つの本体側ねじ部材２１６を回転させて、本体側ねじ部材２１６を、先端側から被取付面Ｗ側へ移動させる。そして、本体側ねじ部材２１６の先端部が被取付面Ｗへ接触した後は、さらに、本体側ねじ部材２１６を回転させることで、支持本体部材２００Ｌ，２００Ｒを、被取付面Ｗから離間させる。
【０１５８】
この状態でも、先に回転させた二つの本体側ねじ部材２１６に近い部分と同様、粘着部２Ｌ，２Ｒの基材層２４が、回転させた本体側ねじ部材２１６に近い部分を起点として、被取付面Ｗと直交する方向に沿って引き伸ばされた状態となる。
これにより、粘着部２Ｌ，２Ｒの基材層２４は、三つの本体側ねじ部材２１６に近い部分を起点として、全体的に、被取付面Ｗと直交する方向に沿って引き伸ばされた状態となる。
【０１５９】
上記の動作を繰り返すことで、粘着部２Ｌ，２Ｒの基材層２４を全体的に引き伸ばし、粘着部２Ｌ，２Ｒに破壊応力を発生させて、粘着部２Ｌ，２Ｒを破壊する。
すなわち、支持本体部材２００Ｌ，２００Ｒは、三つの本体側ねじ部材２１６を一つずつ回転させることで粘着部２Ｌ，２Ｒの基材層２４を部分的に引き伸ばす動作を繰り返し、粘着部２Ｌ，２Ｒを破壊して、被取付面Ｗから離間させる。
【０１６０】
以上により、支持本体部材２００Ｌ，２００Ｒを被取付面Ｗから取り外す際には、回転用工具により本体側ねじ部材２１６を回転させて回転力を発生させることにより、支持本体部材２００Ｌ，２００Ｒを被取付面Ｗから離間させる。そして、粘着部２Ｌ，２Ｒに破壊応力を発生させて、粘着部２Ｌ，２Ｒを破壊する。
次に、補助支持部材３００を被取付面Ｗから取り外す手順について、説明する。
【０１６１】
まず、回転用工具（プラスドライバー）を用いて、四箇所のうち一箇所の補助側貫通孔３１６内に挿通された一つの補助側ねじ部材３１８を回転させて、補助側ねじ部材３１８を、先端側から被取付面Ｗ側へ移動させる。そして、補助側ねじ部材３１８の先端部が被取付面Ｗへ接触した後は、さらに、補助側ねじ部材３１８を回転させることで、補助支持部材３００を、被取付面Ｗから離間させる。
【０１６２】
すなわち、補助側ねじ部材３１８は、回転用工具による回転力で補助支持部材３００の被取付面Ｗと対向する面から突出して被取付面Ｗを押圧することにより、補助支持部材３００を被取付面Ｗから離間させる。
この状態では、被取付面Ｗに沿った方向から見て、補助支持部材３００が被取付面Ｗに対して傾斜した状態で、粘着部２Ｃの基材層２４が、回転させた補助側ねじ部材３１８に近い部分を起点として、被取付面Ｗと直交する方向に沿って引き伸ばされた状態となる。
【０１６３】
次に、先端部が被取付面Ｗへ接触していない三つの補助側ねじ部材３１８のうち、先端部が被取付面Ｗへ接触している補助側ねじ部材３１８と対角線上に位置する一つの補助側ねじ部材３１８を回転させて、補助側ねじ部材３１８を、先端側から被取付面Ｗ側へ移動させる。そして、補助側ねじ部材３１８の先端部が被取付面Ｗへ接触した後は、さらに、補助側ねじ部材３１８を回転させることで、補助支持部材３００を、被取付面Ｗから離間させる。
【０１６４】
この状態でも、先に回転させた補助側ねじ部材３１８に近い部分と同様、粘着部２Ｃの基材層２４が、回転させた補助側ねじ部材３１８に近い部分を起点として、被取付面Ｗと直交する方向に沿って引き伸ばされた状態となる。
次に、四箇所のうち、残りの二箇所のうち一箇所の補助側貫通孔３１６内に挿通された一つの補助側ねじ部材３１８を回転させて、補助側ねじ部材３１８を、先端側から被取付面Ｗ側へ移動させる。そして、補助側ねじ部材３１８の先端部が被取付面Ｗへ接触した後は、さらに、補助側ねじ部材３１８を回転させることで、補助支持部材３００を、被取付面Ｗから離間させる。
【０１６５】
この状態でも、先に回転させた二つの補助側ねじ部材３１８に近い部分と同様、粘着部２Ｃの基材層２４が、回転させた補助側ねじ部材３１８に近い部分を起点として、被取付面Ｗと直交する方向に沿って引き伸ばされた状態となる。
次に、四箇所のうち、残りの一箇所の補助側貫通孔３１６内に挿通された一つの補助側ねじ部材３１８を回転させて、補助側ねじ部材３１８を、先端側から被取付面Ｗ側へ移動させる。そして、補助側ねじ部材３１８の先端部が被取付面Ｗへ接触した後は、さらに、補助側ねじ部材３１８を回転させることで、補助支持部材３００を、被取付面Ｗから離間させる。
【０１６６】
この状態でも、先に回転させた三つの補助側ねじ部材３１８に近い部分と同様、粘着部２Ｃの基材層２４が、回転させた補助側ねじ部材３１８に近い部分を起点として、被取付面Ｗと直交する方向に沿って引き伸ばされた状態となる。
これにより、粘着部２Ｃの基材層２４は、四つの補助側ねじ部材３１８に近い部分を起点として、全体的に、被取付面Ｗと直交する方向に沿って引き伸ばされた状態となる。
【０１６７】
上記の動作を繰り返すことで、粘着部２Ｃの基材層２４を全体的に引き伸ばし、粘着部２Ｃに破壊応力を発生させて、粘着部２Ｃを破壊する。
すなわち、補助支持部材３００は、四つの補助側ねじ部材３１８を一つずつ回転させることで粘着部２Ｃの基材層２４を部分的に引き伸ばす動作を繰り返し、粘着部２Ｃを破壊して、被取付面Ｗから離間させる。
【０１６８】
また、補助支持部材３００は、四つの補助側ねじ部材３１８のうち、対角線上に配置した補助側ねじ部材３１８を順に回転させることで、粘着部２Ｃの基材層２４を、補助支持側平面部３１０の対角線に沿って引き伸ばし、粘着部２Ｃを破壊して、被取付面Ｗから離間させる。
以上により、補助支持部材３００を被取付面Ｗから取り外す際には、回転用工具により補助側ねじ部材３１８を回転させて回転力を発生させることにより、補助支持部材３００を被取付面Ｗから離間させる。そして、粘着部２Ｃに破壊応力を発生させて、粘着部２Ｃを破壊する。
【０１６９】
各粘着部２を破壊した状態で、支持本体部材２００Ｌと、支持本体部材２００Ｒと、補助支持部材３００を、被取付面Ｗから取り外す。これにより、支持部材１の被取付面Ｗからの取り外しを終了する。
以上説明したように、本体側貫通孔２１４及び本体側ねじ部材２１６と、補助側貫通孔３１６及び補助側ねじ部材３１８は、回転力変換部を形成している。
【０１７０】
回転力変換部は、回転用工具による回転力が、粘着部２を介して被取付面Ｗに取り付けられた支持本体部材２００及び補助支持部材３００を、被取付面Ｗから離間させる力に変換する構成である。
したがって、回転用工具による回転力を、粘着部２を介して被取付面Ｗに取り付けられた支持部材１を被取付面Ｗに対して変位させて、粘着部２を破壊する応力に変換する、破壊応力発生部は、本体側貫通孔２１４及び本体側ねじ部材２１６と、補助側貫通孔３１６及び補助側ねじ部材３１８を含む。
【０１７１】
また、回転力変換部が含む本体側貫通孔２１４及び補助側貫通孔３１６は、被取付面Ｗと直交する方向から見て、粘着部２と異なる位置に配置されている。
また、上述したように、第二実施形態の支持具取り外し方法では、回転用工具による回転力を、支持部材１を被取付面Ｗから離間させる力に変換して、粘着部２を破壊する応力を発生させる。これにより、粘着部２の少なくとも一部及び支持部材１を、被取付面Ｗから取り外す。
なお、上述した第二実施形態は、本発明の一例であり、本発明は、上述した第二実施形態に限定されることはなく、この実施形態以外の形態であっても、本発明に係る技術的思想を逸脱しない範囲であれば、設計等に応じて種々の変更が可能である。
【０１７２】
（第二実施形態の効果）
第二実施形態では、以下に記載する効果を奏することが可能となる。
（１）回転用工具による回転力を、粘着部２を介して被取付面Ｗに取り付けられた支持部材１を被取付面Ｗに対して変位させて、粘着部２を破壊する応力に変換する、破壊応力発生部を含む。これに加え、破壊応力発生部は、回転用工具による回転力を、粘着部２を介して被取付面Ｗに取り付けられた支持部材１を被取付面Ｗから離間させる力に変換する回転力変換部を含む。
【０１７３】
このため、回転用工具による回転力を、支持部材１を被取付面Ｗに対して変位させて粘着部を破壊する応力に変換することにより、粘着部２に破壊応力を発生させて粘着部２を破壊し、被取付面Ｗから粘着部２の少なくとも一部及び支持部材１を取り外すことが可能となる。
その結果、支持部材１を取り外した被取付面Ｗの損傷を抑制することが可能な、支持具取付構造を提供することが可能となる。
【０１７４】
（２）回転力変換部は、本体側貫通孔２１４及び補助側貫通孔３１６と、本体側ねじ部材２１６及び補助側ねじ部材３１８を含む。これに加え、本体側ねじ部材２１６及び補助側ねじ部材３１８は、回転用工具による回転力で支持部材１の被取付面Ｗと対向する面から突出して被取付面Ｗを押圧することにより、支持部材１を被取付面Ｗから離間させる。
このため、回転用工具による回転力で回転する本体側ねじ部材２１６及び補助側ねじ部材３１８により、被取付面Ｗを押圧することで、支持部材１を被取付面Ｗから離間させることが可能となる。これにより、支持部材１を被取付面Ｗから離間させて粘着部２に破壊応力を発生させて、粘着部２を破壊することが可能となるため、被取付面Ｗから粘着部２の少なくとも一部及び支持部材１を取り外すことが可能となる。
その結果、支持部材１を取り外した被取付面Ｗの損傷を抑制することが可能な、支持具取付構造を提供することが可能となる。
【０１７５】
（３）各本体側ねじ部材２１６及び各補助側ねじ部材３１８の先端を、面取り先とする。
このため、各本体側ねじ部材２１６及び各補助側ねじ部材３１８の先端が被取付面Ｗを押圧する際に、各本体側ねじ部材２１６及び各補助側ねじ部材３１８から被取付面Ｗへ加わる押圧力を低減させることが可能となる。
その結果、支持部材１を取り外した被取付面Ｗの損傷を抑制することが可能な、支持具取付構造を提供することが可能となる。
【０１７６】
（４）回転力変換部が含む本体側貫通孔２１４及び補助側貫通孔３１６は、被取付面Ｗと直交する方向から見て、粘着部２と異なる位置に配置されている。
このため、各本体側ねじ部材２１６及び各補助側ねじ部材３１８を回転させて、各本体側ねじ部材２１６及び各補助側ねじ部材３１８を被取付面Ｗ側へ移動させる際に、各本体側ねじ部材２１６及び各補助側ねじ部材３１８の先端が、粘着部２を間に挟んで被取付面Ｗを押圧することを回避することが可能となる。
その結果、各本体側ねじ部材２１６及び各補助側ねじ部材３１８の先端で被取付面Ｗを押圧することで、粘着部２を被取付面Ｗと直交する方向に沿って効率的に引き伸ばすことが可能となる。
【０１７７】
（５）支持具取り外し方法では、回転用工具による回転力を、支持部材１を被取付面Ｗから離間させる力に変換して、粘着部２を破壊する応力を発生させる。
このため、回転用工具による回転力を、支持部材１を被取付面Ｗに対して変位させて粘着部を破壊する応力に変換することにより、粘着部２に破壊応力を発生させて粘着部２を破壊し、被取付面Ｗから粘着部２の少なくとも一部及び支持部材１を取り外すことが可能となる。
その結果、支持部材１を取り外した被取付面Ｗの損傷を抑制することが可能な、支持具取付構造を提供することが可能となる。
【０１７８】
（変形例）
（１）第二実施形態では、ねじ部材（本体側ねじ部材２１６、補助側ねじ部材３１８）を貫通孔（本体側貫通孔２１４、補助側貫通孔３１６）内に挿通する構成としたが、これに限定するものではない。
すなわち、例えば、図２８中に示すように、補助支持部材３００の構成を、補助側ねじ部材３１８を収容する補助側ねじ部材収容部９１０を有する構成としてもよい。補助側ねじ部材収容部９１０は、補助支持側平面部３１０に開口する凹部で形成する。すなわち、補助側ねじ部材収容部９１０は、補助支持部材３００の内部に形成する。
【０１７９】
なお、特に図示しないが、支持本体部材２００の構成についても、補助支持部材３００と同様のねじ部材収容部を備える構成としてもよい。
この場合、補助支持側平面部３１０から突出した補助側ねじ部材３１８が、照明機器１００や被取付面Ｗと干渉すること等を防止することが可能となる。
また、補助側ねじ部材収容部９１０の構成は、例えば、図２９中に示すように、補助側先端保持部９２０が形成されている構成としてもよい。
【０１８０】
補助側先端保持部９２０は、補助側ねじ部材３１８を補助側貫通孔３１６外に配置した状態、及び補助側ねじ部材３１８を補助側貫通孔３１６内に挿通した状態で、補助側ねじ部材３１８のうち本体側貫通孔２１４内に挿通された状態で被取付面Ｗと対向する側の端部（先端部）を保持する構成である。一例として、補助側先端保持部９２０は、「ねじ締り錠」と呼称される場合がある部材を用いて形成する。
【０１８１】
この場合、補助側ねじ部材３１８の脱落を防止することが可能となる。
なお、特に図示しないが、支持本体部材２００の構成についても、補助支持部材３００と同様の先端保持部を備える構成としてもよい。
【０１８２】
（２）第二実施形態では、本体側ねじ部材２１６及び補助側ねじ部材３１８の先端部で被取付面Ｗを押圧する構成としたが、これに限定するものではない。
すなわち、例えば、図３０中に示すように、本体側ねじ部材２１６と被取付面Ｗとの間に、壁面押圧部材９３０を配置してもよい。
壁面押圧部材９３０は、回転用工具から本体側ねじ部材２１６を介して伝達される回転力を滑り接触で受けるとともに、被取付面Ｗを被取付面Ｗに交差する軸に沿って押圧する構成である。
【０１８３】
また、壁面押圧部材９３０は、図３０中に示すように、例えば、本体側ねじ部材２１６の先端に取り付けたキャップ等で形成する。キャップは、例えば、樹脂製の材料で形成する。
なお、特に図示しないが、補助側ねじ部材３１８と被取付面Ｗとの間にも、壁面押圧部材９３０を配置してもよい。
【０１８４】
この場合、本体側ねじ部材２１６で被取付面Ｗを押圧する際に、被取付面Ｗの損傷を防止することが可能となる。これに加え、本体側ねじ部材２１６で被取付面Ｗを直接的に押圧する構成と比較して、本体側ねじ部材２１６の先端部に発生する摩擦力を低減させることが可能となるため、本体側ねじ部材２１６を回転させるために必要な力を減少させることが可能となる。
【０１８５】
また、壁面押圧部材９３０の構成は、例えば、図３１中に示すように、本体側ねじ部材２１６の先端に取り付けた平板状の当て板部材であってもよい。当て板部材は、被取付面Ｗと対向するように、本体側ねじ部材２１６の先端に取り付ける。
この場合、本体側ねじ部材２１６で被取付面Ｗを押圧する際に、壁面押圧部材９３０と被取付面Ｗが面接触するため、被取付面Ｗの損傷を防止することが可能となる。
【０１８６】
（３）第二実施形態では、回転力変換部の構成を、本体側貫通孔２１４及び補助側貫通孔３１６と、本体側ねじ部材２１６及び補助側ねじ部材３１８を含む構成とした。これに加え、本体側ねじ部材２１６及び補助側ねじ部材３１８を回転させて被取付面Ｗを押圧し、支持本体部材２００及び補助支持部材３００を被取付面Ｗから離間させ、粘着部２に破壊応力を発生させて粘着部２を破壊する構成とした。しかしながら、回転力変換部の構成は、これに限定するものではない。
【０１８７】
すなわち、例えば、図３２中に示すように、回転力変換部の構成を、二つの脚部９４０ａ，９４０ｂと、連結角調整部９５０とを含む構成としてもよい。
二つの脚部９４０ａ，９４０ｂは、例えば、両者を連結するヒンジ機構により、互いの基端側が連結角度を可変に連結されて形成されている。
二つの脚部９４０ａ，９４０ｂのうち一方（図３２中では、脚部９４０ａ）の先端側は、補助支持部材３００の被取付面Ｗと対向する面に形成した凹部３００ａと接触している。
【０１８８】
また、二つの脚部９４０ａ，９４０ｂのうち一方（脚部９４０ａ）には、内径面に雌ねじ（図示せず）が形成されている貫通孔（図示せず）が設けられている。
二つの脚部９４０ａ，９４０ｂのうち他方（図３２中では、脚部９４０ｂ）は、二つの脚部９４０ａ，９４０ｂのうち一方（脚部９４０ａ）よりも、被取付面Ｗ側に配置されている。
【０１８９】
また、二つの脚部９４０ａ，９４０ｂのうち他方（脚部９４０ｂ）には、内径面に雌ねじ（図示せず）が形成されている貫通孔（図示せず）が設けられている。
連結角調整部９５０は、回転用工具による回転力で二つの脚部９４０ａ，９４０ｂの連結角度を調整する構造で形成されている。
図３２中に示す構成では、補助側貫通孔３１６内に配置した補助側ねじ部材３１８を、貫通孔９４０ｃ及び貫通孔９４０ｄに挿通する。これに加え、補助側ねじ部材３１８の外径面に形成されている補助側雄ねじを、各貫通孔の内径面に形成されている雌ねじと嵌合させる。
【０１９０】
これにより、補助側ねじ部材３１８を回転させることで、二つの脚部９４０ａ，９４０ｂの連結角度を変化可能な構成として、連結角調整部９５０を形成する。
そして、二つの脚部９４０ａ，９４０ｂのうち一方（脚部９４０ａ）の先端部を補助支持部材３００に接触させるとともに、二つの脚部９４０のうち他方（脚部９４０ｂ）の先端部を被取付面Ｗに接触させた状態で、補助側ねじ部材３１８を回転させる。これにより、連結角調整部９５０で二つの脚部９４０ａ，９４０ｂの連結角度を拡大させ、補助支持部材３００を被取付面Ｗから離間させる。
【０１９１】
この場合、補助支持部材３００（支持部材１）の照明機器１００と対向する側に回転用工具を配置することが不可能な状態であっても、支持部材１を被取付面Ｗから離間させることが可能となる。
なお、特に図示しないが、支持本体部材２００の構成についても、補助支持部材３００と同様の先端保持部を備える構成としてもよい。
【０１９２】
（４）第二実施形態では、支持部材１（支持本体部材２００、補助支持部材３００）を厚さの均一な板状に形成したが、これに限定するものではない。
すなわち、例えば、図３３中に示すように、支持部材１の構成を、薄肉部９６０を有する構成としてもよい。なお、図３３中には、支持本体部材２００及び補助支持部材３００のうち、補助支持部材３００が薄肉部９６０を有する場合を示す。
【０１９３】
薄肉部９６０は、支持部材１の一部を、支持部材１のうち被取付面Ｗと直交する方向から見て粘着部２と異なる部分よりも、被取付面Ｗと平行な方向から見た厚さを薄くして形成する。
この場合、被取付面Ｗから離間させた支持部材１が、まず、薄肉部９６０の位置で損傷し、支持部材１が複数の部位に分割されるため、支持部材１が単一の部品である状態で被取付面Ｗから取り外す場合と比較して、被取付面Ｗから取り外す作業が容易となる。
【０１９４】
また、薄肉部９６０は、図３３中に示すように、例えば、支持部材１を被取付面Ｗと直交する方向から見て対向する二辺を連続する溝で形成する。これに加え、支持部材１を被取付面Ｗと直交する方向から見て対向する二辺を連続する溝で形成した薄肉部９６０は、粘着部２と重ならない位置に形成する。
この場合、薄肉部９６０の位置で損傷した支持部材１を、薄肉部９６０の形状に沿って確実に分割することが可能となる。
【０１９５】
（５）第二実施形態では、支持部材１（支持本体部材２００、補助支持部材３００）に、回転用工具を回転させる方向を示す表記（支持本体側表記２１２、連結部材配置表記３１４）を設けたが、さらに、回転用工具を回転させる順番を示す表記を設けてもよい。
具体的には、回転用工具を回転させる順番を示す数字を、各貫通孔（本体側貫通孔２１４、補助側貫通孔３１６）付近に設けてもよい。
【０１９６】
（６）第二実施形態では、四箇所の補助側貫通孔３１６を、補助支持側平面部３１０のうち、補助支持部材３００を被取付面Ｗと直交する方向から見て、補助支持部材３００の対角線上において、対角線の交点を挟んで互いに離間して配置したが、これに限定するものではない。
【０１９７】
すなわち、例えば、四箇所の補助側貫通孔３１６のうち二つを、それぞれ、補助支持側平面部３１０の外周縁のうち二辺の長辺部分の中間位置に配置し、四箇所の補助側貫通孔３１６のうち残り二つを、それぞれ、補助支持側平面部３１０の外周縁のうち二辺の短辺部分の中間位置に配置する。これにより、四箇所の補助側貫通孔３１６を、補助支持側平面部３１０のうち、補助支持部材３００を被取付面Ｗと直交する方向から見て、菱形に配置してもよい。
【０１９８】
（第三実施形態）
以下、本発明の第三実施形態について、図面を参照しつつ説明する。
（本発明の第三実施形態の概要）
本発明の第三実施形態の支持具取付構造及び支持具取り外し方法を適用する対象の機器（照明機器）は、照明機器を配置する対象である外壁や塀等の被取付面に、照明機器を支持する部材である支持部材に支持された状態で配置される。
【０１９９】
ここで、支持部材は、両面テープ等で形成した粘着部を介して被取付面に取り付ける。また、照明機器と支持部材は、両面テープのうち被取付面へ取り付ける面に剥離紙（剥離フィルム）を貼り付けた状態で、予め組み立てられて梱包される。
また、本発明の第三実施形態の支持具取付構造及び支持具取り外し方法では、支持部材から照明機器を取り外した後に、以下の手順Ｐ１、Ｐ２を適宜選択して、粘着部を破壊する。そして、被取付面から、破壊した粘着部の少なくとも一部とともに、支持部材を取り外す。
・手順Ｐ１：支持部材を被取付面に交差する軸を中心として回転させることで、粘着部に剪断応力を発生させて粘着部を破壊する。
・手順Ｐ２：回転用工具による回転力を支持部材を被取付面から離間させる力に変換して、粘着部を破壊する応力を発生させることで、粘着部に破壊応力を発生させて粘着部を破壊する。
【０２００】
（支持具取付構造）
図１から図２７を参照しつつ、図３４から図４１を用いて、第三実施形態の支持具取付構造について説明する。なお、第三実施形態の支持具取付構造は、支持部材１以外の構成は、上述した第一実施形態と同様である。このため、以降の説明は、支持部材１についてのみ記載する。
【０２０１】
支持部材１は、二つの支持本体部材２００（２００Ｌ，２００Ｒ）と、一つの補助支持部材３００を備える（図１参照）。
各支持本体部材２００は、図３４から図３７中に示すように、支持本体側平面部２１０と、支持本体側外壁部２２０と、ナット嵌合部２３０と、支持本体側テープ配置部２４０を備えている。これに加え、各支持本体部材２００は、図３４から図３７中に示すように、支持本体側差し込み部２５０と、支持本体側隔壁部２６０と、三つの支持本体側中実部９７０を備えている。
【０２０２】
なお、図３４から図３７中には、二つの支持本体部材２００のうち支持本体部材２００Ｌを示しているが、支持本体部材２００Ｒの構成は、被取付面Ｗと照明機器１００との間に配置される際の位置及び向きを除き、支持本体部材２００Ｌと同様である。
支持本体側平面部２１０、支持本体側外壁部２２０、ナット嵌合部２３０、支持本体側差し込み部２５０、支持本体側隔壁部２６０の構成は、上述した第一実施形態と同様であるため、その説明を省略する。
【０２０３】
支持本体側テープ配置部２４０の構成は、上述した第二実施形態と同様であるため、その説明を省略する。
各支持本体側中実部９７０は、支持本体側平面部２１０の照明機器１００と対向する面に設けられている。また、各支持本体側中実部９７０は、被取付面Ｗと平行な平板状に形成されている。したがって、各支持本体側中実部９７０の厚さ方向は、被取付面Ｗに交差する軸と平行に向いている。
【０２０４】
また、各支持本体側中実部９７０は、ナット嵌合フレーム部２３４の外周面と対向している。
したがって、支持本体側溝部２５４は、支持本体側外壁部２２０及び支持本体側中実部９７０とナット嵌合フレーム部２３４との対向する面と、支持本体側平面部２１０により形成されている。
【０２０５】
また、三つの支持本体側中実部９７０は、支持本体側平面部２１０のうち、支持本体部材２００を被取付面Ｗと直交する方向から見て、支持本体部材２００の中心を包囲する仮想的に形成した三角形の頂点のそれぞれに配置されている。
三つの支持本体側中実部９７０のうち二つは、それぞれ、支持本体側平面部２１０の外周縁を形成する三辺の直線部分のうち連続する二辺で形成される二箇所の角部と、支持本体部材２００の中心との間に配置されている。
【０２０６】
また、三つの支持本体側中実部９７０は、それぞれ、本体側貫通孔２１４と、本体側ねじ部材２１６を備えている。
各本体側貫通孔２１４は、支持本体側中実部９７０を被取付面Ｗに交差する軸に沿って貫通する孔である。
また、各本体側貫通孔２１４の内径面には、それぞれ、本体側雌ねじが形成されている。
【０２０７】
各本体側ねじ部材２１６は、それぞれ、本体側貫通孔２１４内に挿通されている。
各本体側ねじ部材２１６の長さは、支持本体側中実部９７０の厚さ以下に設定されている。
第三実施形態では、一例として、各本体側ねじ部材２１６の長さが、支持本体側中実部９７０の厚さと同じ長さに設定されている場合を説明する。
【０２０８】
なお、支持本体部材２００を被取付面Ｗに取り付けている状態では、図中に示すように、各本体側ねじ部材２１６が、支持本体部材２００の照明機器１００と対向する面及び被取付面Ｗと対向する面から突出しない状態で、本体側貫通孔２１４内に挿通されている。
また、各本体側ねじ部材２１６の外径面には、本体側雌ねじと嵌合する本体側雄ねじが形成されている。
【０２０９】
各本体側ねじ部材２１６の先端は、あら先、面取り先、丸先のうちいずれかである。
第三実施形態では、一例として、各本体側ねじ部材２１６の先端が、面取り先である場合を説明する。
なお、第三実施形態では図示していないが、上述した第二実施形態と同様、単方向矢印と文字で形成した支持本体側表記２１２を設けてもよい。
【０２１０】
補助支持部材３００は、図３８から図４１中に示すように、補助支持側平面部３１０と、補助支持側外壁部３２０と、補助支持側ねじ受け部３３０と、補助支持側作業用開口部３４０と、突起嵌合部３５０と、補助支持側テープ配置部３６０を備えている。これに加え、補助支持部材３００は、図３８から図４１中に示すように、補助支持側隔壁部３８０と、四つの補助支持側中実部９８０を備えている。
【０２１１】
補助支持側平面部３１０、補助支持側外壁部３２０、補助支持側ねじ受け部３３０、補助支持側作業用開口部３４０、突起嵌合部３５０、補助支持側差し込み部３７０、補助支持側隔壁部３８０の構成は、上述した第一実施形態と同様であるため、その説明を省略する。
補助支持側テープ配置部３６０の構成は、上述した第二実施形態と同様であるため、その説明を省略する。
【０２１２】
各補助支持側中実部９８０は、補助支持側平面部３１０の照明機器１００と対向する面に設けられている。また、各補助支持側中実部９８０は、被取付面Ｗと平行な平板状に形成されている。したがって、各補助支持側中実部９８０の厚さ方向は、被取付面Ｗに交差する軸と平行に向いている。
また、各補助支持側中実部９８０の一部は、突起嵌合フレーム部３５４の外周面と対向している。
【０２１３】
したがって、補助支持側溝部３７４は、補助支持側外壁部３２０及び補助支持側中実部９８０と突起嵌合フレーム部３５４との対向する面と、補助支持側平面部３１０により形成されている。
また、四つの補助支持側中実部９８０は、補助支持側平面部３１０のうち、補助支持部材３００を被取付面Ｗと直交する方向から見て、補助支持部材３００の対角線上において、対角線の交点を挟んで互いに離間して配置されている。
【０２１４】
また、四つの補助支持側中実部９８０は、それぞれ、補助側貫通孔３１６と、補助側ねじ部材３１８を備えている。
各補助側貫通孔３１６は、補助支持側中実部９８０を被取付面Ｗに交差する軸に沿って貫通する孔である。
また、各補助側貫通孔３１６の内径面には、それぞれ、補助側雌ねじが形成されている。
【０２１５】
各補助側ねじ部材３１８は、それぞれ、補助側貫通孔３１６内に挿通されている。
各補助側ねじ部材３１８の長さは、補助支持側中実部９８０の厚さ以下に設定されている。
第三実施形態では、一例として、各補助側ねじ部材３１８の長さが、補助支持側中実部９８０の厚さと同じ長さに設定されている場合を説明する。
【０２１６】
なお、補助支持部材３００を被取付面Ｗに取り付けている状態では、図中に示すように、各補助側ねじ部材３１８が、補助支持部材３００の照明機器１００と対向する面及び被取付面Ｗと対向する面から突出しない状態で、補助側貫通孔３１６内に挿通されている。
また、各補助側ねじ部材３１８の外径面には、補助側雌ねじと嵌合する補助側雄ねじが形成されている。
【０２１７】
各補助側ねじ部材３１８の先端は、あら先、面取り先、丸先のうちいずれかである。
第三実施形態では、一例として、各補助側ねじ部材３１８の先端が、面取り先である場合を説明する。
なお、第三実施形態では図示していないが、上述した第二実施形態と同様、単方向矢印と文字で形成した補助支持側表記３１２を設けてもよい。
【０２１８】
（照明機器１００の配置）
第三実施形態の照明機器１００を、被取付面Ｗに配置する手順は、上述した第一実施形態と同様であるため、その説明を省略する。
【０２１９】
（支持部材１の取り外し）
次に、図１、図３４から図４１を参照して、第三実施形態の支持部材１を、被取付面Ｗから取り外す手順を説明する。
支持部材１を取り外す際には、まず、上述した第一実施形態と同様の手順により、支持本体部材２００Ｌ、支持本体部材２００Ｒ及び補助支持部材３００が、それぞれ、粘着部２の粘着力により被取付面Ｗに取り付けられている状態とする。
【０２２０】
そして、支持部材１の被取付面Ｗへの取り付け状態、支持部材１の取り外しを行う作業現場の状況や、使用可能な回転用工具に応じて、上述した手順Ｐ１または手順Ｐ２を適宜選択し、粘着部２Ｌ，２Ｒ，２Ｃを破壊する。
さらに、各粘着部２を破壊した状態で、支持本体部材２００Ｌと、支持本体部材２００Ｒと、補助支持部材３００を、被取付面Ｗから取り外す。これにより、支持部材１の被取付面Ｗからの取り外しを終了する。
【０２２１】
以上説明したように、第三実施形態の支持具取り外し方法では、支持部材１を、支持部材１に嵌合させた回転用工具による回転力で被取付面Ｗに交差する軸を中心として回転させる。または、回転用工具による回転力を、支持部材１を被取付面Ｗから離間させる力に変換する。これにより、粘着部２を破壊する破壊応力を発生させて、粘着部２の少なくとも一部及び支持部材１を、被取付面Ｗから取り外す。
なお、上述した第三実施形態は、本発明の一例であり、本発明は、上述した第三実施形態に限定されることはなく、この実施形態以外の形態であっても、本発明に係る技術的思想を逸脱しない範囲であれば、設計等に応じて種々の変更が可能である。
【０２２２】
（第三実施形態の効果）
第三実施形態では、以下に記載する効果を奏することが可能となる。
（１）回転用工具による回転力を、粘着部２を介して被取付面Ｗに取り付けられた支持部材１を被取付面Ｗに対して変位させて、粘着部２を破壊する応力に変換する、破壊応力発生部を含む。これに加え、破壊応力発生部は、回転用工具による回転力が、粘着部２を介して被取付面Ｗに取り付けられた支持部材１を被取付面Ｗに交差する軸を中心として回転させる回転力となるように、回転用工具を支持部材１に嵌合させる回転工具嵌合部４と、回転用工具による回転力を、粘着部２を介して被取付面Ｗに取り付けられた支持部材１を被取付面Ｗから離間させる力に変換する回転力変換部を含む。
【０２２３】
このため、回転用工具による回転力を、支持部材１を被取付面Ｗに対して変位させて粘着部を破壊する応力に変換することにより、粘着部２に破壊応力を発生させて粘着部２を破壊し、被取付面Ｗから粘着部２の少なくとも一部及び支持部材１を取り外すことが可能となる。
その結果、支持部材１を取り外した被取付面Ｗの損傷を抑制することが可能な、支持具取付構造を提供することが可能となる。
【０２２４】
（２）支持具取り外し方法では、支持部材１を、支持部材１に嵌合させた回転用工具による回転力で被取付面Ｗに交差する軸を中心として回転させる、または、回転用工具による回転力を、支持部材１を被取付面Ｗから離間させる力に変換する。これにより、粘着部２を破壊する応力を発生させる。
このため、回転用工具による回転力を、支持部材１を被取付面Ｗに対して変位させて粘着部を破壊する応力に変換することにより、粘着部２に破壊応力を発生させて粘着部２を破壊し、被取付面Ｗから粘着部２の少なくとも一部及び支持部材１を取り外すことが可能となる。
その結果、支持部材１を取り外した被取付面Ｗの損傷を抑制することが可能な、支持具取付構造を提供することが可能となる。
【符号の説明】
【０２２５】
１…支持部材、２…粘着部、２０…被取付面側接着層、２２…支持部材側接着層、２４…基材層、４…回転工具嵌合部、１００…照明機器、１０２…取付カバー、１２０…カバー側嵌合部、２００…支持本体部材、２１２…支持本体側表記、２１４…本体側貫通孔、本体側ねじ部材２１６、２４０…支持本体側テープ配置部、２５０…支持本体側差し込み部、２５２…支持本体側外壁開口部、２５４…支持本体側溝部、２６０…支持本体側隔壁部、３００…補助支持部材、３１２…補助支持側表記、３１４…連結部材配置表記、３１６…補助側貫通孔、３１８…補助側ねじ部材、３６０…補助支持側テープ配置部、３７０…補助支持側差し込み部、３７２…補助支持側外壁開口部、３７４…補助支持側溝部、３８０…補助支持側隔壁部、４００…連結部材、５００…機器本体、５１４…電池収容部、５３０…照明側嵌合部、５４０…電池カバー、６００…レンチ挿入貫通孔、７００…ドライバー挿入凹部、８００…傾斜貫通孔、９００…平行貫通孔、９１０…補助側ねじ部材収容部、９２０…補助側先端保持部、９３０…壁面押圧部材、９４０…脚部、９５０…連結角調整部、９６０…薄肉部、９７０…支持本体側中実部、９８０…補助支持側中実部、Ｗ…被取付面
【図１】
2016169864.tif 000003
【図２】
2016169864.tif 000004
【図３】
2016169864.tif 000005
【図４】
2016169864.tif 000006
【図５】
2016169864.tif 000007
【図６】
2016169864.tif 000008
【図７】
2016169864.tif 000009
【図８】
2016169864.tif 000010
【図９】
2016169864.tif 000011
【図１０】
2016169864.tif 000012
【図１１】
2016169864.tif 000013
【図１２】
2016169864.tif 000014
【図１３】
2016169864.tif 000015
【図１４】
2016169864.tif 000016
【図１５】
2016169864.tif 000017
【図１６】
2016169864.tif 000018
【図１７】
2016169864.tif 000019
【図１８】
2016169864.tif 000020
【図１９】
2016169864.tif 000021
【図２０】
2016169864.tif 000022
【図２１】
2016169864.tif 000023
【図２２】
2016169864.tif 000024
【図２３】
2016169864.tif 000025
【図２４】
2016169864.tif 000026
【図２５】
2016169864.tif 000027
【図２６】
2016169864.tif 000028
【図２７】
2016169864.tif 000029
【図２８】
2016169864.tif 000030
【図２９】
2016169864.tif 000031
【図３０】
2016169864.tif 000032
【図３１】
2016169864.tif 000033
【図３２】
2016169864.tif 000034
【図３３】
2016169864.tif 000035
【図３４】
2016169864.tif 000036
【図３５】
2016169864.tif 000037
【図３６】
2016169864.tif 000038
【図３７】
2016169864.tif 000039
【図３８】
2016169864.tif 000040
【図３９】
2016169864.tif 000041
【図４０】
2016169864.tif 000042
【図４１】
2016169864.tif 000043